(57)【要約】【課題】参加者にとって使い勝手がよく、且つ、不正や間違いが発生し難いサービス交換管理を実現する。【解決手段】コミュニティ通帳２と、コミュニティ通帳２上に印刷されたドットパターンを読み取ることで記入内容をデジタル軌跡情報に変換し送信する電子ペン３とを、コミュニティ活動の各参加者に配布する。また、各参加者に、サービス交換の実績を電子ペン３を用いてコミュニティ通帳２に記入させる。電子ペン３は、コミュニティ通帳２への記入内容をデジタル軌跡情報としてペンＩＤと共にコミュニティ管理センタ１に送信する。コミュニティ管理センタ１は、電子ペン３より受信したデジタル軌跡情報により特定されるサービス交換の実績を、ペンＩＤにより特定される参加者に対応付けて登録する。【選択図】図１
2004078680.tif 000002
【特許請求の範囲】
【請求項１】
コミュニティ活動の各参加者に配布されたコミュニティ通帳および前記コミュニティ通帳に対する書込み内容をデジタル軌跡情報に変換する電子ペンと、情報伝達媒体を介して前記電子ペンと通信可能な管理装置とを用いて、コミュニティ活動の参加者間で行なわれたサービス交換を管理するサービス交換管理方法であって、
前記コミュニティ通帳は、
少なくとも、当該コミュニティ通帳所有の参加者がサービス交換を行なった交換相手の情報を記入するための第１の記入欄と、前記交換相手とサービス交換のために支払ったもしくは受取ったコミュニティ通貨の額面情報を記入するための第２の記入欄と、を有し、
前記電子ペンは、
当該電子ペン所有の参加者がサービス交換を行なった交換相手所有のコミュニティ通帳の第１および第２の記入欄に対する記入内容を、当該電子ペンの情報と共に、実績登録情報として前記管理装置に送信する第１の送信ステップを行い、
前記管理装置は、
前記電子ペンより受信した実績登録情報を用いて、コミュニティ通帳への記入者が、当該電子ペンの所有者であることを検証する第１の検証ステップと、
前記検証が成立した場合に、前記実績登録情報により特定されるコミュニティ通帳所有の参加者の情報、電子ペン所有の参加者の情報、および、コミュニティ通貨の額面情報を、サービス交換の実績情報として、データベースに登録する第１の登録ステップと、を行なうこと
を特徴とするサービス交換管理方法。
【請求項２】
請求項１記載のサービス交換管理方法であって、
前記管理装置は、
前記データベースから、コミュニティ通帳所有の参加者の情報および電子ペン所有の参加者の情報が互いに入れ替わっている１対のサービス交換の実績情報を抽出し、当該１対のサービス交換の実績情報各々のコミュニティ通貨の額面情報を比較することで、当該サービス交換を検証する第２の検証ステップを、さらに行なうこと
を特徴とするサービス交換管理方法。
【請求項３】
請求項１または２記載のサービス交換管理方法であって、
前記コミュニティ通帳は、
サービスの情報を記入するための第３の記入欄をさらに有し、
前記電子ペンは、
当該電子ペン所有の参加者が所有するコミュニティ通帳の第３の記入欄に対する記入内容を、当該電子ペンの情報と共に、申込み登録情報として、前記管理装置に送信する第２の送信ステップをさらに行い、
前記管理装置は、
前記電子ペンより受信した申込み登録情報により特定される電子ペン所有の参加者の情報およびサービスの情報を、サービス利用もしくは提供の申込み情報として、データベースに登録する第２の登録ステップを、さらに行なうこと
を特徴とするサービス交換管理方法。
【請求項４】
請求項１または２記載のサービス交換管理方法であって、
前記電子ペンを用いることでサービスの情報を一覧から選択可能に構成されたメニュー用紙が、前記コミュニティ通帳および前記電子ペンと共に、コミュニティ活動の各参加者に配布されており、
前記電子ペンは、
当該電子ペン所有の参加者が所有する前記メニュー用紙に対する選択内容を、当該電子ペンの情報と共に、申込み登録情報として、前記管理装置に送信する第２の送信ステップをさらに行い、
前記管理装置は、
前記電子ペンより受信した申込み登録情報により特定される電子ペン所有の参加者の情報およびサービスの情報を、サービス利用もしくは提供の申込み情報として、データベースに登録する第２の登録ステップを、さらに行なうこと
を特徴とするサービス交換管理方法。
【請求項５】
コミュニティ活動の各参加者がサービス交換の対価として支払うコミュニティ紙幣と、コミュニティ活動の各参加者に配布された前記コミュニティ紙幣に対する書込み内容をデジタル軌跡情報に変換する電子ペンと、情報伝達媒体を介して前記電子ペンと通信可能な管理装置とを用いて、コミュニティ活動の参加者間で行なわれたサービス交換を管理するサービス交換管理方法であって、
前記コミュニティ紙幣は、
少なくとも、サービス提供者の情報を記入するための第１の記入欄を有し、
前記電子ペンは、
当該電子ペン所有の参加者がサービス提供者に支払った前記コミュニティ紙幣の第１の記入欄に対する記入内容を、当該電子ペンの情報と共に、実績登録情報として、前記管理装置に送信する第１の送信ステップを行ない、
前記管理装置は、
前記電子ペンより受信した実績登録情報と、データベースに登録されているサービス交換の実績情報とを用いて、当該コミュニティ紙幣への記入者が当該コミュニティ紙幣の所有者であることを検証する検証ステップと、
前記検証が成立した場合に、前記実績登録情報により特定されるサービス提供者の情報およびサービス享受者の情報を、サービス交換の実績情報として、データベースに登録する第１の登録ステップと、を行なうこと
を特徴とするサービス交換管理方法。
【請求項６】
請求項５記載のサービス交換管理方法であって、
前記管理装置は、
前記データベースから、サービス提供者の情報およびサービス享受者の情報が同じであって且つ同じ登録日を持つサービス交換の実績情報を抽出し、これらを同じサービス交換に対する実績情報として関連付ける関連付けステップを、さらに行なうこと
を特徴とするサービス交換管理方法。
【請求項７】
請求項５または６記載のサービス交換管理方法であって、
前記コミュニティ紙幣は、
サービスの情報を記入するための第２の記入欄をさらに有し、
前記電子ペンは、
当該電子ペン所有の参加者が所有するコミュニティ紙幣の第２の記入欄に対する記入内容を、当該電子ペンの情報と共に、申込み登録情報として、前記管理装置に送信する第２の送信ステップをさらに行い、
前記管理装置は、
前記電子ペンより受信した申込み登録情報により特定される当該電子ペン所有の参加者の情報およびサービス情報を、サービス提供の申込み情報として、データベースに登録する第２の登録ステップを、さらに行なうこと
を特徴とするサービス交換管理方法。
【請求項８】
請求項５または６記載のサービス交換管理方法であって、
前記電子ペンを用いることでサービスの情報を一覧から選択可能に構成されたメニュー用紙が、前記電子ペンと共に、コミュニティ活動の各参加者に配布されており、
前記電子ペンは、
当該電子ペン所有の参加者が所有する前記メニュー用紙に対する選択内容を、当該電子ペンの情報と共に、申込み登録情報として、前記管理装置に送信する第２の送信ステップをさらに行い、
前記管理装置は、
前記電子ペンより受信した申込み登録情報により特定される当該電子ペン所有の参加者の情報およびサービス情報を、サービス利用もしくは提供の申込み情報として、データベースに登録する第２の登録ステップを、さらに行なうこと
を特徴とするサービス交換管理方法。
【請求項９】
コミュニティ活動の各参加者がサービス交換の対価として支払うコミュニティ小切手と、コミュニティ活動の各参加者に配布された前記コミュニティ小切手に対する書込み内容をデジタル軌跡情報に変換する電子ペンと、情報伝達媒体を介して前記電子ペンと通信可能な管理装置とを用いて、コミュニティ活動の参加者間で行なわれたサービス交換を管理するサービス交換管理方法であって、
前記コミュニティ小切手は、
少なくとも、サービス提供者の情報を記入するための第１の記入欄と、前記サービス提供者に支払うコミュニティ通貨の額面情報を記入するための第２の記入欄と、を有し、
前記電子ペンは、
当該電子ペン所有の参加者がサービス提供者に渡した前記コミュニティ小切手の第１および第２の記入欄に対する記入内容を、当該電子ペンの情報と共に、実績登録情報として前記管理装置に送信する第１の送信ステップを行い、
前記管理装置は、
前記電子ペンより受信した実績登録情報を用いて、当該コミュニティ小切手への記入者が、当該コミュニティ小切手の所有者であることを検証する検証ステップと、
前記検証が成立した場合に、前記実績登録情報により特定されるサービス提供者の情報、サービス享受者の情報、および、コミュニティ通貨の額面情報を、サービス交換の実績情報として、データベースに登録する第１の登録ステップと、を行なうこと
を特徴とするサービス交換管理方法。
【請求項１０】
請求項９記載のサービス交換管理方法であって、
前記コミュニティ小切手は、
サービスの情報を記入するための第３の記入欄をさらに有し、
前記電子ペンは、
当該電子ペン所有の参加者が所有するコミュニティ小切手の第３の記入欄に対する記入内容を、当該電子ペンの情報と共に、申込み登録情報として、前記管理装置に送信する第２の送信ステップをさらに行い、
前記管理装置は、
前記電子ペンより受信した申込み登録情報により特定される当該電子ペン所有の参加者の情報およびサービス情報を、サービス提供の申込み情報として、データベースに登録する第２の登録ステップを、さらに行なうこと
を特徴とするサービス交換管理方法。
【請求項１１】
請求項９記載のサービス交換管理方法であって、
前記電子ペンを用いることでサービスの情報を一覧から選択可能に構成されたメニュー用紙が、前記電子ペンと共に、コミュニティ活動の各参加者に配布されており、
前記電子ペンは、
当該電子ペン所有の参加者が所有する前記メニュー用紙に対する選択内容を、当該電子ペンの情報と共に、申込み登録情報として、前記管理装置に送信する第２の送信ステップをさらに行ない、
前記管理装置は、
前記電子ペンより受信した申込み登録情報により特定される当該電子ペン所有の参加者の情報およびサービス情報を、サービス利用もしくは提供の申込み情報として、データベースに登録する第２の登録ステップを、さらに行なうこと
を特徴とするサービス交換管理方法。
【請求項１２】
コミュニティ活動の参加者間で行なわれたサービス交換を管理するサービス交換管理システムであって、
コミュニティ活動の各参加者に配布されたコミュニティ通帳および前記コミュニティ通帳に対する書込み内容をデジタル軌跡情報に変換する電子ペンと、情報伝達媒体を介して前記電子ペンと通信可能な管理装置と、を有し、
前記コミュニティ通帳は、
少なくとも、当該コミュニティ通帳所有の参加者がサービス交換を行なった交換相手の情報を記入するための第１の記入欄と、前記交換相手とサービス交換のために支払ったもしくは受取ったコミュニティ通貨の額面情報を記入するための第２の記入欄と、を有し、
前記電子ペンは、
当該電子ペン所有の参加者がサービス交換を行なった交換相手所有のコミュニティ通帳の第１および第２の記入欄に対する記入内容を、当該電子ペンの情報と共に、実績登録情報として、前記管理装置に送信し、
前記管理装置は、
前記電子ペンより受信した実績登録情報を用いて、コミュニティ通帳への記入者が、当該電子ペンの所有者であることを検証する検証手段と、
前記検証が成立した場合に、前記実績登録情報により特定されるコミュニティ通帳所有の参加者の情報、電子ペン所有の参加者の情報、および、コミュニティ通貨の額面情報を、サービス交換の実績情報として、データベースに登録する登録手段と、を有すること
を特徴とするサービス交換管理システム。
【請求項１３】
コミュニティ活動の参加者間で行なわれたサービス交換を管理するサービス交換管理システムであって、
コミュニティ活動の各参加者がサービス交換の対価として支払うコミュニティ紙幣と、コミュニティ活動の各参加者に配布された前記コミュニティ紙幣に対する書込み内容をデジタル軌跡情報に変換する電子ペンと、情報伝達媒体を介して前記電子ペンと通信可能な管理装置と、を有し、
前記コミュニティ紙幣は、
少なくとも、サービス提供者の情報を記入するための第１の記入欄を有し、
前記電子ペンは、
当該電子ペン所有の参加者がサービス提供者に支払った前記コミュニティ紙幣の第１の記入欄に対する記入内容を、当該電子ペンの情報と共に、実績登録情報として、前記管理装置に送信し、
前記管理装置は、
前記電子ペンより受信した実績登録情報と、データベースに登録されているサービス交換の実績情報とを用いて、コミュニティ紙幣への記入者が当該コミュニティ紙幣の所有者であることを検証する検証手段と、
前記検証が成立した場合に、前記実績登録情報により特定されるサービス提供者の情報、サービス享受者の情報、および、コミュニティ紙幣の情報を、サービス交換の実績情報として、データベースに登録する登録手段と、を有すること
を特徴とするサービス交換管理システム。
【請求項１４】
コミュニティ活動の参加者間で行なわれたサービス交換を管理するサービス交換管理システムであって、
コミュニティ活動の各参加者がサービス交換の対価として支払うコミュニティ小切手と、コミュニティ活動の各参加者に配布された前記コミュニティ小切手に対する書込み内容をデジタル軌跡情報に変換する電子ペンと、情報伝達媒体を介して前記電子ペンと通信可能な管理装置と、を有し、
前記コミュニティ小切手は、
少なくとも、サービス提供者の情報を記入するための第１の記入欄と、前記サービス提供者に支払うコミュニティ通貨の額面情報を記入するための第２の記入欄と、を有し、
前記電子ペンは、
当該電子ペン所有の参加者がサービス提供者に渡した前記コミュニティ小切手の第１および第２の記入欄に対する記入内容を、当該電子ペンの情報と共に、実績登録情報として前記管理装置に送信し、
前記管理装置は、
前記電子ペンより受信した実績登録情報を用いて、当該コミュニティ小切手への記入者が当該コミュニティ小切手の所有者であることを検証する検証手段と、前記検証が成立した場合に、前記実績登録情報により特定されるサービス提供者の情報、サービス享受者の情報、および、コミュニティ通貨の額面情報を、サービス交換の実績情報として、データベースに登録する登録手段と、を有すること
を特徴とするサービス交換管理システム。
【請求項１５】
請求項１２記載のサービス交換管理システムに用いられることを特徴とするコミュニティ通帳。
【請求項１６】
請求項１３記載のサービス交換管理システムに用いられることを特徴とするコミュニティ紙幣。
【請求項１７】
請求項１４記載のサービス交換管理システムに用いられることを特徴とするコミュニティ小切手。
【請求項１８】
請求項１２、１３または１４記載のサービス交換システムに用いられることを特徴とする管理装置。
【発明の詳細な説明】
【０００１】
【発明の属する技術分野】
本発明は、コミュニティ活動を管理する技術に関する。
【０００２】
【従来の技術】
近年、ボランティア活動や地域活動といった個人レベルでの交流活動（コミュニティ活動と呼ぶ）が注目されている。ここで、コミュニティ活動の活性化、円滑化を図るためには、コミュニティ活動の参加者間で行なわれるサービス交換を管理することにより、コミュニティ活動の各参加者にサービス交換の機会が平等に与えられているか、つまり、サービス交換の機会がある参加者に偏っていないかなどを監視することが好ましい。
【０００３】
さて、サービス交換を管理する方法として、次の方法が考えられる。すなわち、専用の管理装置を設け、これをインターネットなどのネットワークを介して、各参加者のネットワーク端末（例えばＰＣ）に接続する。そして、各参加者に、サービス交換の内容（交換相手、サービス内容、コミュニティ通貨の交換額、評価など）を、自身のネットワーク端末を使って管理装置に登録させる。なお、コミュニティ通貨としては、例えば、「エコマネー」、「ＬＥＴＳ」、「ｔｉｍｅ−ｄｏｌｌａｒ」といった、コミュニティ活動に対する対価として使用することを目的としたチケット等が挙げられる。
【０００４】
【発明が解決しようとする課題】
ところで、上記のサービス交換を管理する方法では、コミュニティ活動の参加者全員が、ＰＣなどのネットワーク端末を利用できることが前提となる。しかし、幅広い年齢層から参加者が集うことが望まれるコミュニティ活動において、参加者全員に、ネットワーク端末を利用できるようにすることは困難である。また、サービス交換の実績の管理装置への登録は、不正や間違いの確率を少しでも減らすために、サービス交換が行なわれたそのときに、つまり、当事者が両方いるときに行なうことが好ましい。しかし、ＰＣなどのネットワーク端末では、サービス交換の実績の管理装置への登録が事後的になりがちである。
【０００５】
本発明は、上記事情に鑑みてなされたものであり、本発明の目的は、参加者にとって使い勝手がよく、且つ、不正や間違いが発生し難いサービス交換管理を実現することにある。
【０００６】
【課題を解決するための手段】
上記課題を解決するために、本発明では、例えば用紙上に印刷されたドットパターンを読み取ることで当該用紙への書込み内容をデジタル軌跡情報に変換し、これを無線などの情報伝達媒体を介して送信する電子ペンを、コミュニティ活動の各参加者に配布する。また、各参加者に、コミュニティ通貨の移動を特定するために必要な各項目の記入欄が設けられた電子ペン専用の前記用紙に、サービス交換によるコミュニティ通貨の移動の実績を、自身の電子ペンを用いて書き込ませる。電子ペンは、前記用紙に対する書込み内容を、デジタル軌跡情報として、予め登録されている電子ペンの情報と共に、情報伝達媒体を介して管理装置に送信する。管理装置は、電子ペンより受信したデジタル軌跡情報により特定されるコミュニティ通貨の移動の実績を、電子ペンの情報により特定される当該電子ペン所有の参加者に対応付けて登録する。
【０００７】
本発明によれば、コミュニティ活動の各参加者は、コミュニティ通貨の移動の実績を専用の用紙に記入するという、慣れ親しんだ手続のやり方でサービス交換の実績を管理装置へ登録することができる。また、電子ペンおよび専用の用紙という携帯性に優れた手段を利用することにより、例えばサービス交換直後に、サービス交換の当事者間で専用の用紙への記入内容を互いにチェックすることが可能となる。このため、不正や間違いが発生する確立を低減することができる。
【０００８】
より具体的には、本発明の第１の態様のサービス交換管理方法は、コミュニティ活動の各参加者に配布されたコミュニティ通帳（前記用紙に相当）および前記コミュニティ通帳に対する書込み内容をデジタル軌跡情報に変換する電子ペンと、情報伝達媒体を介して前記電子ペンと通信可能な管理装置とを用いて、コミュニティ活動の参加者間で行なわれたサービス交換を管理する。
【０００９】
ここで、前記コミュニティ通帳は、少なくとも、当該コミュニティ通帳所有の参加者がサービス交換を行なった交換相手の情報を記入するための第１の記入欄と、前記交換相手とサービス交換のために支払ったもしくは受取ったコミュニティ通貨の額面情報を記入するための第２の記入欄と、を有する。
【００１０】
前記電子ペンは、当該電子ペン所有の参加者がサービス交換を行なった交換相手所有のコミュニティ通帳の第１および第２の記入欄に対する記入内容を、当該電子ペンの情報と共に、実績登録情報として、前記管理装置に送信する第１の送信ステップを行う。
【００１１】
そして、前記管理装置は、前記電子ペンより受信した実績登録情報および電子ペンの情報を用いて、コミュニティ通帳への記入者が、当該電子ペンの所有者であることを検証する第１の検証ステップと、前記検証が成立した場合に、前記実績登録情報により特定されるコミュニティ通帳所有の参加者の情報、電子ペン所有の参加者の情報と、および、コミュニティ通貨の額面情報を、サービス交換の実績情報として、データベースに登録する第１の登録ステップと、を行なう。
【００１２】
本態様では、第１の検証ステップによる検証が成立した場合にのみ、サービス交換の実績情報をデータベースに登録するようにしている。このようにすることで、コミュニティ通帳の所有者ではなく、この所有者とサービス交換を行なった参加者に、当該参加者所有の電子ペンを用いて、サービス交換の実績の当該コミュニティ通帳への記入を行なわせる。これにより、サービス交換を行なう当事者の双方に、コミュニティ通帳への書込み内容に対する注意を促すことができ、したがって、不正や間違いが発生する確立を低減することができる。
【００１３】
また、本態様の第２の態様のサービス交換管理方法は、コミュニティ活動の各参加者がサービス交換の対価として支払うコミュニティ紙幣（前記用紙に相当）と、コミュニティ活動の各参加者に配布された前記コミュニティ紙幣に対する書込み内容をデジタル軌跡情報に変換する電子ペンと、情報伝達媒体を介して前記電子ペンと通信可能な管理装置とを用いて、コミュニティ活動の参加者間で行なわれたサービス交換を管理する。
【００１４】
ここで、前記コミュニティ紙幣は、少なくとも、サービス提供者の情報を記入するための第１の記入欄を有する。
【００１５】
前記電子ペンは、当該電子ペン所有の参加者がサービス提供者に支払った前記コミュニティ紙幣の第１の記入欄に対する記入内容を、当該電子ペンの情報と共に実績登録情報として、前記管理装置に送信する第１の送信ステップを行なう。
【００１６】
そして、前記管理装置は、前記電子ペンより受信した実績登録情報と、データベースに登録されているサービス交換の実績情報とを用いて、当該コミュニティ紙幣への記入者が当該コミュニティ紙幣の所有者であることを検証する検証ステップと、前記検証が成立した場合に、前記実績登録情報により特定されるサービス提供者の情報、サービス享受者の情報、および、コミュニティ紙幣の情報とを、サービス交換の実績情報として、データベースに登録する第１の登録ステップと、を行なう。
【００１７】
本態様では、検証ステップによる検証が成立した場合にのみ、サービス交換の実績情報をデータベースに登録するようにしている。このようにすることで、コミュニティ紙幣の受取者ではなく、このコミュニティ紙幣を支払う参加者に、当該参加者所有の電子ペンを用いて、サービス交換の実績の当該コミュニティ紙幣への記入を行なわせる。これにより、サービス交換を行なう当事者の双方に、コミュニティ紙幣への書込み内容に対する注意を促すことができ、したがって、不正や間違いが発生する確立を低減することができる。
【００１８】
また、本発明の第３の態様のサービス交換管理方法は、コミュニティ活動の各参加者がサービス交換の対価として支払うコミュニティ小切手（前記用紙に相当）と、コミュニティ活動の各参加者に配布された前記コミュニティ小切手に対する書込み内容をデジタル軌跡情報に変換する電子ペンと、情報伝達媒体を介して前記電子ペンと通信可能な管理装置とを用いて、コミュニティ活動の参加者間で行なわれたサービス交換を管理する。
【００１９】
ここで、前記コミュニティ小切手は、少なくとも、サービス提供者の情報を記入するための第１の記入欄と、前記サービス提供者に支払うコミュニティ通貨の額面情報を記入するための第２の記入欄と、を有する。
【００２０】
前記電子ペンは、当該電子ペン所有の参加者がサービス提供者に渡した前記コミュニティ小切手の第１および第２の記入欄に対する記入内容を、当該電子ペンの情報と共に、実績登録情報として前記管理装置に送信する第１の送信ステップを行なう。
【００２１】
そして、前記管理装置は、前記電子ペンより受信した実績登録情報を用いて、当該コミュニティ小切手への記入者が、当該コミュニティ小切手の所有者であることを検証する検証ステップと、前記検証が成立した場合に、前記実績登録情報により特定されるサービス提供者の情報、サービス享受者の情報、および、コミュニティ通貨の額面情報を、サービス交換の実績情報として、データベースに登録する第１の登録ステップと、を行なう。
【００２２】
本態様では、検証ステップによる検証が成立した場合にのみ、サービス交換の実績情報をデータベースに登録するようにしている。このようにすることで、コミュニティ小切手の受取者ではなく、このコミュニティ小切手を支払う参加者に、当該参加者所有の電子ペンを用いて、サービス交換の実績の当該コミュニティ紙幣への記入を行なわせる。これにより、サービス交換を行なう当事者の双方に、コミュニティ小切手への書込み内容に対する注意を促すことができ、したがって、不正や間違いが発生する確立を低減することができる。
【００２３】
【発明の実施の形態】
以下に、本発明の実施の形態について、ボランティアサービスの交換を目的としたコミュニティ活動に参加する参加者間の活動（サービス交換の実績）を管理する場合を例にとり説明する。
【００２４】
まず、本発明の第１実施形態について説明する。
【００２５】
図１は、本発明の第１実施形態が適用されたサービス交換管理システムの概略構成を示す図である。
【００２６】
図示するように、本実施形態のサービス交換管理システムは、ボランティアサービスの交換を目的としたコミュニティ活動に参加する各参加者に配布されたコミュニティ通帳２および電子ペン３と、参加者間で行なわれたサービス交換の実績を管理するコミュニティ管理センタ１と、を有する。
【００２７】
ここで、コミュニティ通帳２は、参加者のサービス交換の実績を記帳するためのものである。電子ペン３は、コミュニティ通帳２への記入内容をデジタル軌跡情報に変換し、このデジタル軌跡情報を、無線中継局５およびインターネット等のネットワーク４を介して、コミュニティ管理センタ１に送信する。そして、コミュニティ管理センタ３は、電子ペン３より送られてきたデジタル軌跡情報により特定されるコミュニティ通帳２への記入内容を、参加者のサービスの利用あるいは提供申込みとして、もしくは、サービスの交換実績として、それぞれのデータベースに登録する。
【００２８】
次に、上記のサービス交換管理システムに用いるコミュニティ通帳２および電子ペン３について説明する。
【００２９】
コミュニティ通帳２には、通帳毎に固有のドットパターンが割り当てられており、また、通帳毎に固有の識別情報（ペーパＩＤと呼ぶ）が付与されている。
【００３０】
電子ペン３は、コミュニティ通帳２への書き込みに際し、ペン先にあるドットパターンを光学的に読み取って、コミュニティ通帳２への記入内容（筆跡）を、ドットパターンの軌跡（変遷）を表す情報であるデジタル軌跡情報に変換する。そして、Ｂｌｕｅｔｏｏｔｈ（商標）や無線ＬＡＮなどの無線通信を利用して、このデジタル軌跡情報を、電子ペン３に予め登録されているペン毎に固有の識別情報（ペンＩＤと呼ぶ）と共に、コミュニティ管理センタ３へ送信する。
【００３１】
このような、ドットパターンが印刷された専用の用紙と、この専用用紙に対する書き込みを読み取ってデジタル軌跡情報に変換する電子ペンとを用いて、手書き文字や図形をデジタル化する技術として、ＷＯ　０１／２６０３３号公報記載の技術がある。この技術は、「日経デザイン　２００１年７月号　Ｐ８０−Ｐ８１」にも紹介されている。
【００３２】
図２は、コミュニティ通帳２および電子ペン３の仕組みを説明するための図である。
【００３３】
図示するように、コミュニティ通帳２には、約０．３ｍｍ格子毎にドットパターン２１０が印刷されている。各ドットの位置は、格子点から微妙にずれている。電子ペン３は、内蔵カメラによってこのドットパターン２１０の一部（ブロックと呼ぶ）を読み取ることで、このブロックの位置を認識する。各ドットの格子点からのずれは４種類（格子点に対して左上、右上、左下、右下）あるので、１つのドットで４つの値を表現できる。例えば、ブロックとして、６×６ドットを読み取るようにした場合、６×６ドットのパターンは、４３６通りとなる。４３６通りのブロック（ドット間隔０．３ｍｍ）を配置すると、約６千万平方キロメートル（ユーラシア大陸に相当）に及ぶ。したがって、ブロックを読み取ることで、約６千万平方キロメートルに及ぶドットパターン空間（絶対空間と呼ぶ）上における当該ブロックの座標位置（絶対位置と呼ぶ）を取得できる。
【００３４】
本実施形態では、絶対空間を複数に分割し、分割空間のそれぞれに１つのコミュニティ通帳２を割り当てるようにしている。したがって、電子ペン３が取得した絶対位置から、その絶対位置を含む分割空間に対応するコミュニティ通帳２のペーパＩＤと、その絶対位置のコミュニティ通帳２上における位置（相対位置と呼ぶ）を特定することができる。
【００３５】
図３は、コミュニティ通帳２の一例を示す図である。
【００３６】
上述したように、コミュニティ通帳２は、参加者がサービス交換の実績を記帳するためのものであり、通帳毎に固有のドットパターンが印刷されている。但し、電子ペン３のメモリ３０５に蓄積したデジタル軌跡情報をコミュニティ管理センタ１に送信するための送信チェックボックス２３０の印刷部分については、全てのコミュニティ通帳２において同じブロックが印刷されている。つまり、送信チェックボックス２３０については、全てのコミュニティ通帳２に対して同じ絶対位置が割り当てられている。
【００３７】
また、コミュニティ通帳２の紙面上には、サービス交換の実績を記入するための実績記入欄２２０が複数印刷されている。実績記入欄２２０は、日付を記入するための日付記入欄２２１、このコミュニティ通帳２の持ち主とサービス交換を行なった参加者（交換者）のユーザＩＤを記入するための交換者ＩＤ記入欄２２２、交換者の氏名を記入するための交換者名記入欄２２３、サービス交換したサービスのサービスＩＤを記入するためのサービスＩＤ記入欄２２４、サービス交換したサービスのサービス名称を記入するためのサービス名称記入欄２２５、サービス交換のために交換者に支払ったあるいは交換者から受け取ったコミュニティ通貨の額面を記入するための交換額記入欄２２６、このコミュニティ通帳２の持ち主の、コミュニティ通貨の所持額を記入するための所持額記入欄２２７、そして、このコミュニティ通帳２の持ち主に対する苦情・コメントを記入するためのコメント記入欄２２８と、を有する。
【００３８】
さらに、コミュニティ通帳２の紙面上には、実績記入欄２２０に記入した情報を、サービス利用申込みとしてコミュニティ管理センタ１に送信するか、サービス提供申込みとしてコミュニティ管理センタ１に送信するか、それとも、サービス交換の実績の書込みとしてコミュニティ管理センタ１送信するかを選択させるための選択チェックボックス群２２９が印刷されている。
【００３９】
電子ペン３は、図２に示すように、カメラ３０１と、インクカートリッジ３０２と、筆圧センサ３０３と、プロセッサ３０４と、メモリ３０５と、バッテリ３０６と、無線トランシーバ３０７と、を内蔵している。
【００４０】
図４は、電子ペン３の動作フローを説明するための図である。
【００４１】
プロセッサ３０４は、筆圧センサ３０３が筆圧を感知すると（Ｓ４００１）、カメラ３０１を作動させて、ペン先にあるブロックを光学的に読み取り、このブロックのドットパターンからペン先の絶対位置を取得する（Ｓ４００２）。これにより、プロセッサ３は、コミュニティ通帳２に書き込まれた文字や図形の軌跡をデジタル化する。そして、このデジタル軌跡情報をメモリ３０５に蓄積する（Ｓ４００３）。
【００４２】
次に、プロセッサ３は、コミュニティ通帳２の送信チェックボックス２３０がチェックされたか否かを判断する（Ｓ４００４）。上述したように、送信チェックボックス２３０については、全てのコミュニティ通帳２に対して同じ絶対位置が割り当てられている。したがって、メモリ３０５に蓄積されたデジタル軌跡情報の絶対位置を調べることで、送信チェックボックス２３０がチェックされたか否かを判断することができる。
【００４３】
さて、プロセッサ３は、送信チェックボックス２３０がチェックされたならば、無線トランシーバ３０７を制御して例えばＢｌｕｅｔｏｏｔｈ（商標）により、それまでにメモリ３０５上に蓄積したデジタル軌跡情報を、メモリ３０５に予め登録されているペンＩＤと共に送信する（Ｓ４００５）。このデジタル軌跡情報およびペンＩＤは、無線中継局５およびネットワーク４を介して、コミュニティ管理センタ１へ送信される。
【００４４】
次に、コミュニティ管理センタ１について説明する。
【００４５】
図５は、コミュニティ管理センタ１の概略構成を示す図である。
【００４６】
図示するように、コミュニティ管理センタ１は、ネットワーク４および無線中継局５を介して、電子ペン３と通信を行なう通信部１１と、処理部１２と、記憶部１３と、を有する。
【００４７】
記憶部１３は、参加者管理ＤＢ１３１と、サービス提供申込み管理ＤＢ１３２と、サービス利用申込み管理ＤＢ１３３と、サービス交換実績管理ＤＢ１３４と、認識辞書ＤＢ１３５と、相対位置管理ＤＢ１３６と、を有する。
【００４８】
参加者管理ＤＢ１３１には、コミュニティ活動に参加する各参加者の情報が登録される。図６に、参加者管理ＤＢ１３１の登録内容例を示す。
【００４９】
図示するように、参加者毎にレコードが登録される。各レコードは、参加者のユーザＩＤを登録するフィールド１３１１、参加者の氏名を登録するフィールド１３１２、参加者の氏名以外の個人情報（住所や電話番号など）を登録するフィールド１３１３、参加者が所有する電子ペン３のペンＩＤを登録するフィールド１３１４、そして、参加者に所有するコミュニティ通帳２のペーパＩＤを登録するフィールド１３１５を有する。
【００５０】
サービス提供申込み管理ＤＢ１３２には、参加者よりのサービス提供申込みの情報が登録される。図７にサービス提供申込みＤＢ１３２の登録内容例を示す。
【００５１】
図示するように、サービス提供申込み毎にレコードが登録される。各レコードは、サービス提供申込みを識別するための提供ＩＤを登録するフィールド１３２１、申込み者のユーザＩＤを登録するフィールド１３２２、申込み者が提供を希望するサービスのサービスＩＤを登録するフィールド１３２３、申込み者が提供を希望するサービスのサービス名を登録するフィールド１３２４、そして、サービス提供申込みの処理状況を登録するフィールド１３２５を有する。
【００５２】
サービス利用申込み管理ＤＢ１３３には、参加者よりのサービス利用申込みの情報が登録される。図８にサービス利用申込みＤＢ１３３の登録内容例を示す。
【００５３】
図示するように、サービス利用申込み毎にレコードが登録される。各レコードは、サービス利用申込みを識別するための利用ＩＤを登録するフィールド１３３１、申込み者のユーザＩＤを登録するフィールド１３３２、申込み者が利用を希望するサービスのサービスＩＤを登録するフィールド１３３３、申込み者が利用を希望するサービスのサービス名を登録するフィールド１３３４、そして、サービス利用申込みの処理状況を登録するフィールド１３３５を有する。
【００５４】
サービス交渉実績管理ＤＢ１３４には、参加者間で行なわれたサービス交換の情報が登録される。図９に、サービス交渉実績管理ＤＢ１３４の登録内容例を示す。
【００５５】
図示するように、サービス交換の実績毎にレコードが登録される。各レコードは、サービス交換の実績を識別するための実績ＩＤを登録するフィールド１３４１、サービス交換の実施日を登録するフィールド１３４２、交換したサービスのサービスＩＤを登録するフィールド１３４３、レコードの登録者のユーザＩＤである登録ユーザＩＤを登録するフィールド１３４４、登録者のサービス交換相手のユーザＩＤである交換ユーザＩＤを登録するフィールド１３４５、サービス交換により移動したコミュニティ通貨の額を登録するフィールド１３４６、そして、登録者のコメントを登録するフィールド１３４７を有する。
【００５６】
認識辞書ＤＢ１３５には、通信部１１を介して電子ペン３から受信したデジタル軌跡情報が示す文字列を構成する各文字の文字認識に利用する辞書データが登録されている。
【００５７】
そして、相対位置管理ＤＢ１３６には、コミュニティ通帳２毎に、コミュニティ通帳２に印刷されたドットパターンの各ブロックについて、コミュニティ通帳２上における相対位置と、全ドットパターン空間（絶対空間）上における絶対位置との対応関係が登録されている。図１０に、相対位置ＤＢ１３６の登録内容例を示す。
【００５８】
図示するように、コミュニティ通帳２のペーパＩＤ１３６２毎に、対応テーブル１３６１が登録されている。対応テーブル１３６１の各レコードは、コミュニティ通帳２の相対位置を登録するフィールド１３６３と、同じレコードのフィールド１３６３に登録されている相対位置に対応する絶対位置を登録するフィールド１３６４と、を有する。なお、上述したように、送信チェックボックス２３０については、全てのコミュニティ通帳２に対して同じ絶対位置が割り当てられている。その他については、コミュニティ通帳２毎に異なる絶対位置が割り当てられている。
【００５９】
図５に戻って説明を続ける。処理部１２は、文字認識処理部１２１と、相対位置変換処理部１２２と、検証部１２３と、アクセス制御部１２４と、主制御部１２５と、を有する。
【００６０】
文字認識処理部１２１は、認識辞書ＤＢ１３５を利用して、通信部１１を介して電子ペン３から受信したデジタル軌跡情報が示す文字列を構成する文字各々に対して文字認識処理を行なう。
【００６１】
相対位置変換処理部１２２は、相対位置管理ＤＢ１３６を用いて、通信部１１を介して電子ペン３より受信したデジタル軌跡情報が示す文字列を構成する各文字の絶対位置を、コミュニティ通帳２上の相対位置に変換する。また、この文字列が執筆されたコミュニティ通帳２のペーパＩＤを取得する。
【００６２】
検証部１２３は、通信部１１を介して電子ペン３より受信したペンＩＤと、このペンＩＤと共に電子ペン３より受信したデジタル軌跡情報の文字認識処理部１２１および相対位置変換処理部１２２での結果とを用いて、デジタル軌跡情報を検証する。
【００６３】
アクセス制御部１２４は、記憶部１３に登録されている各ＤＢ１３１〜１３６へのアクセスを制御する。
【００６４】
そして、主制御部１２５は、文字認識処理部１２１、相対位置変換処理部１２２および検証部１２３での結果に基づいて、アクセス制御部１２４に指示を出す。これにより、サービス提供申込み管理ＤＢ１３２へのサービス提供申込みの登録、サービス利用申込み管理ＤＢ１３３へのサービス利用申込みの登録、および、サービス交換実績管理ＤＢ１３４へのサービス交換実績の登録を制御する。
【００６５】
上記のコミュニティ管理センタ１は、例えば、図１１に示すような、ＣＰＵ７１と、メモリ７２と、ハードディスク等の外部記憶装置７３と、ネットワーク４を介して他装置と通信を行うための通信装置７４と、キーボードやマウス等の入力装置７５と、モニタやプリンタ等の出力装置７６と、ＣＤ−ＲＯＭやＦＤ等の記憶媒体７９からデータを読み取る読取装置７７と、これらの各構成要素間のデータ送受を行うインターフェース７８とを備えた、一般的なコンピュータにおいて、ＣＰＵ７１がメモリ７２上にロードした所定のプログラムを実行することにより実現できる。この所定のプログラムは、読取装置７７を介して当該プログラムが記憶された記憶媒体７９から、あるいは、通信装置７４を介してネットワーク４から入手して、直接メモリ７２上にロードするか、もしくは、一旦、外部記憶装置７３に格納してから、メモリ７２上にロードすればよい。なお、図４に示す記憶部１３としては、外部記憶装置７３等が利用される。
【００６６】
図１２はコミュニティ管理センタ１の動作フローを説明するための図である。
【００６７】
主制御部１２５は、通信部１１を介して電子ペン３からペンＩＤおよびデジタル軌跡情報を受信すると（Ｓ１２０１）、文字認識処理部１２１にデジタル軌跡情報を渡す。これを受けて、文字認識処理部１２１は、デジタル軌跡情報が示す文字列を構成する各文字に対して文字認識処理を行なう（Ｓ１２０２）。
【００６８】
具体的には、デジタル軌跡情報を筆跡の塊毎に分割する。そして、筆跡の塊各々に対して、認識辞書ＤＢ１３５を用いて当該塊が表す文字を認識する。
【００６９】
また、主制御部１２５は、相対位置変換処理部１２２にデジタル軌跡情報を渡す。これを受けて、相対位置変換処理部１２２は、デジタル軌跡情報が示す文字列を構成する各文字の絶対位置をコミュニティ通帳２上での相対位置に変換する。また、デジタル軌跡情報が示す文字列が執筆されたコミュニティ通帳２のペーパＩＤを取得する（Ｓ１２０３）。
【００７０】
具体的には、デジタル軌跡情報を筆跡の塊毎に分割する。そして、筆跡の塊各々の絶対位置がフィールド１３６４に登録されている対応テーブル１３６１を、相対位置管理ＤＢ１３６から抽出する。次に、この対応テーブル１３６１を用いて、筆跡の塊各々の絶対位置をコミュニティ通帳２上の相対位置に変換する。また、この対応テーブル１３６１に割り当てられているペーパＩＤ１３６２を抽出する。
【００７１】
次に、主制御部１２５は、文字認識処理部１２１が得た、デジタル軌跡情報が示す文字列を構成する各文字の認識結果と、相対位置変換処理部１２２が得た、デジタル軌跡情報が示す文字列を構成する各文字のコミュニティ通帳２上での相対位置とに基づいて、コミュニティ通帳２の選択チェックボックス群２２９のいずれにチェックが入れられたかを特定する。これにより、電子ペン３より受信したデジタル軌跡情報に対する申込みの種別を判別する（Ｓ１２０４）。
【００７２】
さて、主制御部１２５は、デジタル軌跡情報に対する申込みの種別がサービス提供申込みであると判定した場合、デジタル軌跡情報を送信した電子ペン３の所有者と、デジタル軌跡情報が示す文字列が執筆されたコミュニティ通帳２の所有者とが一致するか否かを調べることにより、デジタル軌跡情報を検証する（Ｓ１２０５）。
【００７３】
具体的には、電子ペン３よりデジタル軌跡情報と共に受信したペンＩＤを持つレコードを参加者管理ＤＢ１３１から抽出する。同様に、Ｓ１２０３で取得したペーパＩＤを持つレコードを参加者管理ＤＢ１３１から抽出する。そして、両レコードのフィールド１３１１に登録されているユーザＩＤが一致するか否かを調べる。一致する場合は、デジタル軌跡情報の検証成立と判断する。
【００７４】
デジタル軌跡情報の検証が成立した場合（Ｓ１２０６）、主制御部１２５は、文字認識処理部１２１が得た、デジタル軌跡情報が示す文字列を構成する各文字の認識結果と、相対位置変換処理部１２２が得た、デジタル軌跡情報が示す文字列を構成する各文字のコミュニティ通帳２上での相対位置とに基づいて、コミュニティ通帳２のサービスＩＤ記入欄２２４、サービス名称記入欄２２５に記入されたサービスＩＤ、サービス名称を特定する。そして、前記一致したユーザＩＤと、前記特定したサービスＩＤおよびサービス名称とを含むレコードを、サービス提供申込み管理ＤＢ１３２に追加登録するためのリクエストデータを生成し、これをアクセス制御部１２４に渡す。これを受けて、アクセス制御部１２４は、サービス提供申込み管理ＤＢ１３２に、ユニークな提供ＩＤがフィールド１３２１に登録されたレコードを追加する。そして、このレコードのフィールド１３２２に前記一致したユーザＩＤを、フィールド１３２３、１３２４に前記特定したサービスＩＤ、サービス名称を、そして、フィールド１３２５に処理状況「未処理」を登録する（Ｓ１２０７）。
【００７５】
その後、主制御部１２５は、サービス提供申込み登録処理に成功した旨を、通信部１１を介してデジタル軌跡情報を送信した電子ペン３に返信する（Ｓ１２０８）。これを受けて、電子ペン３は、例えば成功を示す色で表示部（不図示）を点灯するなどして、その旨をユーザに通知する。
【００７６】
一方、デジタル軌跡情報の検証が成立しなかった場合（Ｓ１２０６）、主制御部１２５は、サービス提供申込み登録処理に失敗した旨を、通信部１１を介してデジタル軌跡情報を送信した電子ペン３に返信する（Ｓ１２０８）。これを受けて、電子ペン３は、例えば失敗を示す色で表示部（不図示）を点灯するなどして、その旨をユーザに通知する。
【００７７】
また、主制御部１２５は、デジタル軌跡情報に対する申込みの種別がサービス利用申込みであると判定した場合、Ｓ１２０５の場合と同様の要領により、デジタル軌跡情報を検証する（Ｓ１２０９）。
【００７８】
デジタル軌跡情報の検証が成立した場合（Ｓ１２１０）、主制御部１２５は、文字認識処理部１２１が得た、デジタル軌跡情報が示す文字列を構成する各文字の認識結果と、相対位置変換処理部１２２が得た、デジタル軌跡情報が示す文字列を構成する各文字のコミュニティ通帳２上での相対位置とに基づいて、コミュニティ通帳２のサービスＩＤ記入欄２２４、サービス名称記入欄２２５に記入されたサービスＩＤ、サービス名称を特定する。そして、前記一致したユーザＩＤと、前記特定したサービスＩＤおよびサービス名称とを含むレコードを、サービス利用申込み管理ＤＢ１３３に追加登録するためのリクエストデータを生成し、これをアクセス制御部１２４に渡す。これを受けて、アクセス制御部１２４は、サービス利用申込み管理ＤＢ１３３に、ユニークな利用ＩＤがフィールド１３３１に登録されたレコードを追加する。そして、このレコードのフィールド１３３２に前記一致したユーザＩＤを、フィールド１３３３、１３３４に前記特定したサービスＩＤ、サービス名称を、そして、フィールド１３３５に処理状況「未処理」を登録する（Ｓ１２１１）。
【００７９】
その後、主制御部１２５は、サービス利用申込み登録処理に成功した旨を、通信部１１を介してデジタル軌跡情報を送信した電子ペン３に返信する（Ｓ１２０８）。これを受けて、電子ペン３は、例えば成功を示す色で表示部（不図示）を点灯するなどして、その旨をユーザに通知する。
【００８０】
一方、デジタル軌跡情報の検証が成立しなかった場合（Ｓ１２１０）、主制御部１２５は、サービス利用申込み登録処理に失敗した旨を、通信部１１を介してデジタル軌跡情報を送信した電子ペン３に返信する（Ｓ１２０８）。これを受けて、電子ペン３は、例えば失敗を示す色で表示部（不図示）を点灯するなどして、その旨をユーザに通知する。
【００８１】
また、主制御部１２５は、デジタル軌跡情報に対する申込みの種別がサービス交換実績の登録申込みであると判定した場合、デジタル軌跡情報を送信した電子ペン３の所有者と、デジタル軌跡情報が示す文字列の執筆者とが一致するか否かを調べることにより、デジタル軌跡情報を検証する（Ｓ１２１２）。
【００８２】
具体的には、電子ペン３よりデジタル軌跡情報と共に受信したペンＩＤを持つレコードを参加者管理ＤＢ１３１から抽出し、このレコードのフィールド１３１１に登録されているユーザＩＤを取得する。また、文字認識処理部１２１が得た、デジタル軌跡情報が示す文字列を構成する各文字の認識結果と、相対位置変換処理部１２２が得た、デジタル軌跡情報が示す文字列を構成する各文字のコミュニティ通帳２上での相対位置とに基づいて、コミュニティ通帳２の交換者ＩＤ記入欄２２２に記入されたユーザＩＤを特定する。そして、両ユーザＩＤが一致するか否かを調べる。一致する場合は、デジタル軌跡情報の検証成立と判断する。
【００８３】
デジタル軌跡情報の検証が成立した場合（Ｓ１２１３）、主制御部１２５は、文字認識処理部１２１が得た、デジタル軌跡情報が示す文字列を構成する各文字の認識結果と、相対位置変換処理部１２２が得た、デジタル軌跡情報が示す文字列を構成する各文字のコミュニティ通帳２上での相対位置とに基づいて、コミュニティ通帳２の各記入欄２２１〜２２８に対する記入内容を特定する。そして、これらの記入内容を含むレコードを、サービス交換実績管理ＤＢ１３４に追加登録するためのリクエストデータを生成し、これをアクセス制御部１２４に渡す。これを受けて、アクセス制御部１２４は、サービス提供申込み管理ＤＢ１３２に、ユニークな実施ＩＤがフィールド１３４１に登録されたレコードを追加する。そして、このレコードのフィールド１３４２に、コミュニティ通帳２の日付記入欄２２１の実施日を、フィールド１３４３に、コミュニティ通帳２のサービスＩＤ記入欄２２４のサービスＩＤを、フィールド１３４４に、デジタル軌跡情報と共に受信したペンＩＤにより特定される電子ペン３の所有者のユーザＩＤを、フィールド１３４５に、Ｓ１２０３で取得したペーパＩＤにより特定されるコミュニティ通帳２の所有者のユーザＩＤを、フィールド１３４６に、コミュニティ通帳２の交換額記入欄２２６の交換額を、そして、フィールド１３４７に、コミュニティ通帳２のコメント記入欄２２８のコメントを登録する（Ｓ１２１４）。
【００８４】
但し、特定した記入内容にサービスＩＤ記入欄２２４のサービスＩＤが含まれていない場合がある。この場合、追加したレコードのフィールド１３４６に登録した交換額の符号を調べる。符号がプラスの場合は、フィールド１３４４にユーザＩＤが登録されている参加者がサービス提供者であり、フィールド１３４５にユーザＩＤが登録されている参加者がサービス利用者であることを意味する。
【００８５】
そこで、フィールド１３４４に登録されているユーザＩＤを持つレコードがサービス提供申込み管理ＤＢ１３２に登録されているか否かを調べる。登録されているならば、このレコードのフィールド１３２５を「処理済」に更新し（Ｓ１２１５）、フィールド１３２３に登録されているサービスＩＤを、サービス交換実績管理ＤＢ１３４に追加したレコードのフィールド１３４３に登録する。同様に、フィールド１３４５に登録されているユーザＩＤを持つレコードがサービス利用申込み管理ＤＢ１３３に登録されているか否かを調べる。登録されているならば、このレコードのフィールド１３３５を「処理済」に更新し（Ｓ１２１５）、フィールド１３３３に登録されているサービスＩＤを、サービス交換実績管理ＤＢ１３４に追加したレコードのフィールド１３４３に登録する。
【００８６】
また、追加したレコードのフィールド１３４６に登録した交換額の符号がマイナスの場合は、フィールド１３４４にユーザＩＤが登録されている参加者がサービス利用者であり、フィールド１３４５にユーザＩＤが登録されている参加者がサービス提供者であることを意味する。
【００８７】
そこで、フィールド１３４４に登録されているユーザＩＤを持つレコードがサービス利用申込み管理ＤＢ１３３に登録されているか否かを調べる。登録されているならば、このレコードのフィールド１３３５を「処理済」に更新し（Ｓ１２１５）、フィールド１３３３に登録されているサービスＩＤを、サービス交換実績管理ＤＢ１３４に追加したレコードのフィールド１３４３に登録する。同様に、フィールド１３４５に登録されているユーザＩＤを持つレコードがサービス提供申込み管理ＤＢ１３２に登録されているか否かを調べる。登録されているならば、このレコードのフィールド１３２５を「処理済」に更新し（Ｓ１２１５）、フィールド１３２３に登録されているサービスＩＤを、サービス交換実績管理ＤＢ１３４に追加したレコードのフィールド１３４３に登録する。
【００８８】
その後、主制御部１２５は、サービス交換実績の登録処理に成功した旨を、通信部１１を介してデジタル軌跡情報を送信した電子ペン３に返信する（Ｓ１２０８）。これを受けて、電子ペン３は、例えば成功を示す色で表示部（不図示）を点灯するなどして、その旨をユーザに通知する。
【００８９】
一方、デジタル軌跡情報の検証が成立しなかった場合（Ｓ１２１３）、主制御部１２５は、サービス交換実績の登録処理に失敗した旨を、通信部１１を介してデジタル軌跡情報を送信した電子ペン３に返信する（Ｓ１２０８）。これを受けて、電子ペン３は、例えば失敗を示す色で表示部（不図示）を点灯するなどして、その旨をユーザに通知する。
【００９０】
ここで、図１３に、主制御部１２５がアクセス制御部１２４に渡すリクエストデータのフォーマット例を示す。図示するように、リクエストデータは、項目データおよび項目データ値を有する。項目データには、アクセス対象、処理内容および処理対象の項目が含まれる。項目データ値には、項目データに登録された各項目データに対応するデータ値が格納される。つまり、アクセス対象に対応する項目データ値にはアクセス対象ＤＢのアドレスが、処理内容に対応する項目データ値には登録（書き込み）および参照（読み出し）のいずれかが、そして、処理対象項目には、登録／参照する項目のフィールド名が格納される。
【００９１】
なお、図１２に示す動作フローによれば、サービス提供者およびサービス利用者のそれぞれが登録者となって、サービス交換実績のレコードがサービス交換実績管理ＤＢ１３４に登録される。したがって、サービス提供者およびサービス利用者それぞれの登録内容が一致しているか否かを検証する必要がある。
【００９２】
図１４は、サービス交換実績管理ＤＢ１３４に登録されるサービス交換実績のレコードの検証処理を説明するためのフロー図である。
【００９３】
主制御部１２５は、サービス交換実績管理ＤＢ１３４に登録されているレコードの一覧を図示していない表示部に表示するなどして、図示していない指示受付部を介して、検証すべきサービス交換実績のレコードの指定を操作者から受け付ける（Ｓ１４０１）。
【００９４】
次に、指定されたレコードと対のサービス交換実績のレコード、すなわち、実施日およびサービスＩＤが指定されたレコードと一致し、且つ、登録ユーザＩＤおよび交換ユーザＩＤが指定されたレコードの登録ユーザＩＤおよび交換ユーザＩＤと互いに入れ替わっているサービス交換実績のレコードが、サービス交換実績管理ＤＢ１３４に登録されているか否かを調べる（Ｓ１４０２）。登録されていないならば、図示していない表示部などを用いて、操作者に、サービス提供者およびサービス利用者の一方のみしかサービス交換実績のレコードを登録していない旨を通知する（Ｓ１４０４）。
【００９５】
一方、指定されたレコードと対のサービス交換実績のレコードが、サービス交換実績管理ＤＢ１３４に登録されているならば、主制御部１２５は、両レコードの交換額が一致するか否かを調べる（Ｓ１４０３）。一致しない場合は、図示していない表示部などを用いて、操作者に、その旨を通知する（Ｓ１４０４）。一方、一致する場合は、指定されたレコードの検証が成立した旨を、図示していない表示部などを用いて、操作者に通知する（Ｓ１４０４）。
【００９６】
次に、上記構成のサービス交換管理システムの動作について説明する。
【００９７】
先ず、サービス提供申込み登録処理について説明する。サービス提供申込み登録処理とは、参加者が自身のコミュニティ通帳２および電子ペン３を使って、サービス提供申込みをコミュニティ管理センタ１に登録する処理である。
【００９８】
図１５は、サービス提供申込み登録処理を説明するためのフロー図である。
【００９９】
参加者であるサービス提供者は、自身の電子ペン３を用いて、自身が所有するコミュニティ通帳２の実績記入欄２２０のサービスＩＤ記入欄２２４およびサービス名記入欄２２５に、サービス提供を希望するサービスのサービスＩＤおよびサービス名称を記入する。そして、提供申込みの選択ボックス２２９にチェックを入れる（Ｓ１５０１）。ここで、選択ボックス２２９へのチェックは、何度もチェックを入れられるようにするために、ペン先にキャップなどをして行なうようにするとよい。
【０１００】
サービス提供者が電子ペン３を用いてコミュニティ通帳２への書き込みを行なうと、電子ペン３において、筆圧センサ３０３がこれを検知し、カメラ３０１がペン先のブロックを光学的に読み取る。そして、プロセッサ３０４が、このブロックに割り当てられた絶対空間における絶対位置を特定し、特定した絶対位置をデジタル軌跡情報としてメモリ３０５に蓄積する（Ｓ１５０２）。
【０１０１】
次に、サービス提供者は、サービス提供申込みに必要な情報のコミュニティ通帳２への書き込みが終了したならば、これをコミュニティ管理センタ１へ送信するために送信ボックス２３０にチェックを入れる（Ｓ１５０３）。ここで、送信ボックス２３０へのチェックは、何度もチェックを入れられるようにするために、ペン先にキャップなどをして行なうようにするとよい。
【０１０２】
電子ペン３において、プロセッサ３０４は、ペン先のブロックに割り当てられた絶対位置から、送信ボックス２３０にチェックが入れられたことを検知すると（Ｓ１５０４）、それまでに蓄積したデジタル軌跡情報を、予めメモリ３０５に登録してあるペンＩＤと共に、トランシーバから出力する（Ｓ１５０５）。電子ペン３から出力されたペンＩＤおよびデジタル軌跡情報は、無線基地局５およびネットワーク４を介して、コミュニティ管理センタ１へ送信される。
【０１０３】
コミュニティ管理センタ１において、主制御部１２５は、通信部１１を介して、電子ペン３からペンＩＤおよびデジタル軌跡情報を受け取ると、文字認識処理部１２１に、デジタル軌跡情報が表す文字列を構成する各文字を認識させる。また、相対位置変換処理部１２２に、デジタル軌跡情報が表す文字列を構成する各文字のコミュニティ通帳２上での相対位置および当該文字列が執筆されたコミュニティ通帳２のペーパＩＤを求めさせる。それから、主制御部１２５は、文字認識処理部１２１および相対位置変換処理部１２２での結果に従い、提供申込みの選択ボックス２２９にチェックが入れられたこと検出し、これにより、電子ペン３から受信したペンＩＤおよびデジタル軌跡情報がサービス提供申込みに関するものであることを認識する（Ｓ１５０８）。その後、主制御部１２５は、検証部１２３にデジタル軌跡情報の検証を行なわせる（Ｓ１５０９）。それから、アクセス制御部１２４に、文字認識処理部１２１および相対位置変換処理部１２２での結果から特定されるサービス提供申込み情報を、サービス提供申込み管理ＤＢ１３２に登録させる（Ｓ１５１０）。
【０１０４】
これにより、コミュニティ管理センタ１の運営者は、サービス提供申込み管理ＤＢ１３２に登録されたサービス提供申込みの情報に従って、参加者（サービス利用者）にサービス提供者を紹介することができる。
【０１０５】
次に、サービス利用申込み登録処理について説明する。サービス利用申込み登録処理とは、参加者が自身のコミュニティ通帳２および電子ペン３を使って、サービス利用申込みをコミュニティ管理センタ１に登録する処理である。
【０１０６】
図１６は、サービス利用申込み登録処理を説明するためのフロー図である。
【０１０７】
参加者であるサービス利用者は、自身の電子ペン３を用いて、自身が所有するコミュニティ通帳２の実績記入欄２２０のサービスＩＤ記入欄２２４およびサービス名記入欄２２５に、サービス利用を希望するサービスのサービスＩＤおよびサービス名称を記入する。そして、利用申込みの選択ボックス２２９にチェックを入れる（Ｓ１６０１）。
【０１０８】
サービス利用者が電子ペン３を用いてコミュニティ通帳２への書き込みを行なうと、電子ペン３において、筆圧センサ３０３がこれを検知し、カメラ３０１がペン先のブロックを光学的に読み取る。そして、プロセッサ３０４が、このブロックに割り当てられた絶対空間における絶対位置を特定し、特定した絶対位置をデジタル軌跡情報としてメモリ３０５に蓄積する（Ｓ１６０２）。
【０１０９】
次に、サービス利用者は、サービス利用申込みに必要な情報のコミュニティ通帳２への書き込みが終了したならば、これをコミュニティ管理センタ１へ送信するために送信ボックス２３０にチェックを入れる（Ｓ１６０３）。
【０１１０】
電子ペン３において、プロセッサ３０４は、ペン先のブロックに割り当てられた絶対位置から、送信ボックス２３０にチェックが入れられたことを検知すると（Ｓ１６０４）、それまでに蓄積したデジタル軌跡情報を、予めメモリ３０５に登録してあるペンＩＤと共に、トランシーバから出力する（Ｓ１６０５）。電子ペン３から出力されたペンＩＤおよびデジタル軌跡情報は、無線基地局５およびネットワーク４を介して、コミュニティ管理センタ１へ送信される。
【０１１１】
コミュニティ管理センタ１において、主制御部１２５は、通信部１１を介して、電子ペン３からペンＩＤおよびデジタル軌跡情報を受け取ると、文字認識処理部１２１に、デジタル軌跡情報が表す文字列を構成する各文字を認識させる。また、相対位置変換処理部１２２に、デジタル軌跡情報が表す文字列を構成する各文字のコミュニティ通帳２上での相対位置および当該文字列が執筆されたコミュニティ通帳２のペーパＩＤを求めさせる。それから、主制御部１２５は、文字認識処理部１２１および相対位置変換処理部１２２での結果に従い、利用申込みの選択ボックス２２９にチェックが入れられたこと検出し、これにより、電子ペン３から受信したペンＩＤおよびデジタル軌跡情報がサービス利用申込みに関するものであることを認識する（Ｓ１６０８）。その後、主制御部１２５は、検証部１２３にデジタル軌跡情報の検証を行なわせる（Ｓ１６０９）。それから、アクセス制御部１２４に、文字認識処理部１２１および相対位置変換処理部１２２での結果から特定されるサービス利用申込み情報を、サービス利用申込み管理ＤＢ１３３に登録させる（Ｓ１６１０）。
【０１１２】
これにより、コミュニティ管理センタ１の運営者は、サービス利用申込み管理ＤＢ１３３に登録されたサービス利用申込みの情報に従って、参加者（サービス提供者）にサービス利用者を紹介することができる。
【０１１３】
次に、サービス交換実績の登録処理について説明する。サービス交換実績の登録処理とは、サービス交換を行なった参加者それぞれが、自身のコミュニティ通帳２および電子ペン３を使って、サービス交換実績をコミュニティ管理センタ１に登録する処理である。
【０１１４】
図１７は、サービス交換実績の登録処理を説明するためのフロー図である。
【０１１５】
サービスを提供したサービス提供者は、自身の電子ペン３を用いて、サービスの交換相手であるサービス利用者が所有するコミュニティ通帳２の実績記入欄２２０にサービス交換の実績を記入する。具体的には、日付記入欄２２１にサービス交換の日付を記入し、交換者ＩＤ記入欄２２２および交換者名記入欄２２３に自身のユーザＩＤおよびユーザ名を記入し、交換額記入欄２２６にサービス利用者から受け取ったコミュニティ通貨の額面（マイナス表記）を記入し、現在所持額記入欄２２７にサービス利用者の現在所持額を記入し、そして、コメント記入欄２２８に、サービス利用者に対する苦情・コメントを必要に応じて記入する。また、サービスＩＤ記入欄２２４およびサービス名記入欄２２５が空欄の場合（サービス利用者がサービス利用申込みの登録を行なっていない場合）は、提供したサービスのサービスＩＤ、サービス名を記入する。そして、実績書き込みの選択ボックス２２９にチェックを入れる（Ｓ１７０１）。
【０１１６】
サービス提供者が電子ペン３を用いてコミュニティ通帳２への書き込みを行なうと、電子ペン３において、筆圧センサ３０３がこれを検知し、カメラ３０１がペン先のブロックを光学的に読み取る。そして、プロセッサ３０４が、このブロックに割り当てられた絶対空間における絶対位置を特定し、特定した絶対位置をデジタル軌跡情報としてメモリ３０５に蓄積する（Ｓ１７０２）。
【０１１７】
次に、サービス提供者は、サービス利用者のコミュニティ通帳２に対する必要な情報の書き込みが終了したならば、これをコミュニティ管理センタ１へ送信するために送信ボックス２３０にチェックを入れる（Ｓ１７０３）。
【０１１８】
電子ペン３において、プロセッサ３０４は、ペン先のブロックに割り当てられた絶対位置から、送信ボックス２３０にチェックが入れられたことを検知すると（Ｓ１７０４）、それまでに蓄積したデジタル軌跡情報を、予めメモリ３０５に登録してあるペンＩＤと共に、トランシーバから出力する（Ｓ１７０５）。電子ペン３から出力されたペンＩＤおよびデジタル軌跡情報は、無線基地局５およびネットワーク４を介して、コミュニティ管理センタ１へ送信される。
【０１１９】
コミュニティ管理センタ１において、主制御部１２５は、通信部１１を介して、電子ペン３からペンＩＤおよびデジタル軌跡情報を受け取ると、文字認識処理部１２１に、デジタル軌跡情報が表す文字列を構成する各文字を認識させる。また、相対位置変換処理部１２２に、デジタル軌跡情報が表す文字列を構成する各文字のコミュニティ通帳２上での相対位置および当該文字列が執筆されたコミュニティ通帳２のペーパＩＤを求めさせる（Ｓ１７０６）。
【０１２０】
それから、主制御部１２５は、文字認識処理部１２１および相対位置変換処理部１２２での結果に従い、実績書き込みの選択ボックス２２９にチェックが入れられたこと検出し、これにより、電子ペン３から受信したペンＩＤおよびデジタル軌跡情報がサービス交換実績の書き込みに関するものであることを認識する。その後、検証部１２３にデジタル軌跡情報の検証を行なわせる（Ｓ１７０７）。
【０１２１】
次に、主制御部１２５は、アクセス制御部１２４に、文字認識処理部１２１および相対位置変換処理部１２２での結果から特定されるサービス交換実績の情報を、サービス交換実績管理ＤＢ１３４に登録させる（Ｓ１７０８）。ここで、文字認識処理部１２１および相対位置変換処理部１２２での結果から特定されるサービス交換実績の情報に、サービスＩＤおよびサービス名が含まれていない場合、主制御部１２５は、デジタル軌跡情報が表す文字列が執筆されたコミュニティ通帳２のペーパＩＤに基づいて、このコミュニティ通帳２を所有する参加者のユーザＩＤを特定する。そして、サービス利用申込み管理ＤＢ１３３から、前記特定したユーザＩＤを持つレコードを抽出し、このレコードに登録されているサービスＩＤおよびサービス名を、登録すべきサービス交換実績の情報に含める。
【０１２２】
一方、サービスを利用したサービス利用者は、自身の電子ペン３を用いて、サービスの交換相手であるサービス提供者が所有するコミュニティ通帳２の実績記入欄２２０にサービス交換の実績を記入する。具体的には、日付記入欄２２１にサービス交換の日付を記入し、交換者ＩＤ記入欄２２２および交換者名記入欄２２３に自身のユーザＩＤおよびユーザ名を記入し、交換額記入欄２２６にサービス提供者に支払ったコミュニティ通貨の額面（プラス表記）を記入し、現在所持額記入欄２２７にサービス提供者の現在所持額を記入し、そして、コメント記入欄２２８に、サービス提供者に対する苦情・コメントを必要に応じて記入する。また、サービスＩＤ記入欄２２４およびサービス名記入欄２２５が空欄の場合（サービス提供者がサービス提供申込みの登録を行なっていない場合）は、利用したサービスのサービスＩＤ、サービス名を記入する。そして、実績書き込みの選択ボックス２２９にチェックを入れる（Ｓ１７０９）。
【０１２３】
サービス利用者が電子ペン３を用いてコミュニティ通帳２への書き込みを行なうと、電子ペン３において、筆圧センサ３０３がこれを検知し、カメラ３０１がペン先のブロックを光学的に読み取る。そして、プロセッサ３０４が、このブロックに割り当てられた絶対空間における絶対位置を特定し、特定した絶対位置をデジタル軌跡情報としてメモリ３０５に蓄積する（Ｓ１７１０）。
【０１２４】
次に、サービス利用者は、サービス提供者のコミュニティ通帳２に対する必要な情報の書き込みが終了したならば、これをコミュニティ管理センタ１へ送信するために送信ボックス２３０にチェックを入れる（Ｓ１７１１）。
【０１２５】
電子ペン３において、プロセッサ３０４は、ペン先のブロックに割り当てられた絶対位置から、送信ボックス２３０にチェックが入れられたことを検知すると（Ｓ１７１２）、それまでに蓄積したデジタル軌跡情報を、予めメモリ３０５に登録してあるペンＩＤと共に、トランシーバから出力する（Ｓ１７１３）。電子ペン３から出力されたペンＩＤおよびデジタル軌跡情報は、無線基地局５およびネットワーク４を介して、コミュニティ管理センタ１へ送信される。
【０１２６】
コミュニティ管理センタ１において、主制御部１２５は、通信部１１を介して、電子ペン３からペンＩＤおよびデジタル軌跡情報を受け取ると、文字認識処理部１２１に、デジタル軌跡情報が表す文字列を構成する各文字を認識させる。また、相対位置変換処理部１２２に、デジタル軌跡情報が表す文字列を構成する各文字のコミュニティ通帳２上での相対位置および当該文字列が執筆されたコミュニティ通帳２のペーパＩＤを求めさせる（Ｓ１７１４）。
【０１２７】
それから、主制御部１２５は、文字認識処理部１２１および相対位置変換処理部１２２での結果に従い、実績書き込みの選択ボックス２２９にチェックが入れられたこと検出し、これにより、電子ペン３から受信したペンＩＤおよびデジタル軌跡情報がサービス交換実績の書き込みに関するものであることを認識する。その後、検証部１２３にデジタル軌跡情報の検証を行なわせる（Ｓ１７１５）。
【０１２８】
次に、主制御部１２５は、アクセス制御部１２４に、文字認識処理部１２１および相対位置変換処理部１２２での結果から特定されるサービス交換実績の情報を、サービス交換実績管理ＤＢ１３４に登録させる（Ｓ１７１６）。ここで、文字認識処理部１２１および相対位置変換処理部１２２での結果から特定されるサービス交換実績の情報に、サービスＩＤおよびサービス名が含まれていない場合、主制御部１２５は、デジタル軌跡情報が表す文字列が執筆されたコミュニティ通帳２のペーパＩＤに基づいて、このコミュニティ通帳２を所有する参加者のユーザＩＤを特定する。そして、サービス提供申込み管理ＤＢ１３２から、前記特定したユーザＩＤを持つレコードを抽出し、このレコードに登録されているサービスＩＤおよびサービス名を、登録すべきサービス交換実績の情報に含める。
【０１２９】
以上により、サービス提供者およびサービス利用者のそれぞれが登録者となって、サービス交換実績のレコードがサービス交換実績管理ＤＢ１３４に登録される。その後、コミュニティ管理センタ１の運営者よりの指示に従い、サービス提供者およびサービス利用者それぞれの登録内容が一致しているか否かについて、検証が行なわれる（Ｓ１７１７）。
【０１３０】
以上、本発明の第１実施形態について説明した。
【０１３１】
本実施形態では、コミュニティ通貨の移動を特定するために必要な各項目の記入欄が設けられたコミュニティ通帳２と、コミュニティ通帳２上に印刷されたブロック（ドットパターンの一部）を読み取ることで当該通帳２への書込み内容をデジタル軌跡情報に変換して送信する電子ペン３とを、コミュニティ活動の各参加者に配布する。また、各参加者に、サービス交換によるコミュニティ通貨の移動の実績を、自身の電子ペン３を用いてコミュニティ通帳２に書き込ませる。電子ペン３は、コミュニティ通帳２に対する書込み内容を、デジタル軌跡情報として、予め登録されているペンＩＤと共に、コミュニティ管理センタ１に送信する。コミュニティ管理センタ１は、電子ペン３より受信したデジタル軌跡情報により特定されるコミュニティ通貨の移動の実績を、ペンＩＤにより特定される当該電子ペン３所有の参加者のユーザＩＤに対応付けて登録する。
【０１３２】
したがって、本実施形態によれば、コミュニティ活動の各参加者は、コミュニティ通貨の移動の実績を用紙に記入するという、慣れ親しんだ手続のやり方でサービス交換の実績をコミュニティ管理センタ１へ登録することができる。また、電子ペン３およびコミュニティ通帳２という携帯性に優れた手段を利用することにより、例えばサービス交換直後に、サービス交換の当事者間でコミュニティ通帳２への記入内容を互いにチェックすることが可能となる。このため、不正や間違いが発生する確立を低減することができる。
【０１３３】
また、本実施形態では、サービス交換実績の登録に際し、コミュニティ通帳２の所有者ではなく、この所有者とサービス交換を行なった参加者に、当該参加者所有の電子ペン３を用いて、サービス交換実績の当該コミュニティ通帳２への記入を行なわせている。そして、コミュニティ管理センタ１において、電子ペン３から送られてきたデジタル軌跡情報が示す文字列の執筆者が電子ペンの所有者であるか否かを検証している。これにより、サービス交換を行なう当事者の双方に、コミュニティ通帳への書込み内容に対する注意を促すことができ、したがって、不正や間違いが発生する確立をさらに低減することができる。
【０１３４】
次に、本発明の第２実施形態について説明する。
【０１３５】
上記の第１実施形態では、コミュニティ通帳２を利用してサービス交換の実績を管理している。これに対し、本実施形態では、サービス交換の対価として支払うコミュニティ紙幣６を、コミュニティ通帳２の代わりに利用することで、サービス交換の実績を管理するようにしている。これに伴い、コミュニティ管理センタ１の構成・動作が上記の第１実施形態のものと若干異なる。なお、電子ペン３については、上記の第１実施形態のものと同様である。
【０１３６】
先ず、本発明の第２実施形態で用いるコミュニティ紙幣６について説明する。
【０１３７】
図１８は、コミュニティ紙幣６の一例を示す図である。
【０１３８】
コミュニティ紙幣６は、サービス利用者がサービス提供者に対しサービス利用の対価として、サービス交換の実績を記入して支払うものである。
【０１３９】
コミュニティ紙幣６も、第１実施形態で用いたコミュニティ通帳２と同様に、紙幣毎に固有のドットパターンが印刷されている。また、紙幣毎に固有のペーパＩＤが付与されている。さらに、電子ペン３のメモリ３０５に蓄積したデジタル軌跡情報をコミュニティ管理センタ１に送信するための送信チェックボックス６３０の印刷部分について、全てのコミュニティ紙幣６において同じブロックが印刷されている。つまり、送信チェックボックス６３０については、全てのコミュニティ紙幣６に対して同じ絶対位置が割り当てられている。
【０１４０】
コミュニティ紙幣６の紙面上には、サービス交換の実績を記入するための実績記入欄６２０が複数印刷されている。実績記入欄６２０は、日付を記入するための日付記入欄６２１、このコミュニティ紙幣６の持ち主（サービス利用者）とサービス交換を行なった参加者（サービス提供者）のユーザＩＤを記入するための提供者ＩＤ記入欄６２２、提供者の氏名を記入するための提供者名記入欄６２３、サービス交換したサービスのサービスＩＤを記入するためのサービスＩＤ記入欄６２４、サービス交換したサービスのサービス名称を記入するためのサービス名称記入欄６２５、そして、このコミュニティ紙幣６の持ち主（サービス利用者）のコミュニティ紙幣６の支払い先（サービス提供者）に対する苦情・コメントを記入するためのコメント記入欄６２６と、を有する。
【０１４１】
次に、本発明の第２実施形態で用いるコミュニティ管理センタ１について説明する。
【０１４２】
上述したように、本実施形態では、コミュニティ紙幣６にサービス交換の実績を記入することでサービス交換の実績を管理している。ここで、コミュニティ紙幣６は、参加者間を流通するものであり、コミュニティ紙幣６の所有者は不特定である。このため、本実施形態では、参加者管理ＤＢ１３１に、ペーパＩＤ（フィールド１３１５）は登録されない（図６参照）。
【０１４３】
また、本実施形態では、コミュニティ紙幣６に情報が書き込まれる場合として、サービス交換の対価としてコミュニティ紙幣６が支払われる場合のみを想定している。このため、本実施形態では、サービス提供申込み管理ＤＢ１３２、サービス利用申込み管理ＤＢ１３３を用意していない。
【０１４４】
また、サービス交換実績管理ＤＢ１３４は、図１９に示すように、図９に示す第１実施形態のサービス交換実績管理ＤＢ１３４と異なる。つまり、交換額を登録するフィールド１３４６に代えて、サービス利用者がサービス提供者に支払ったコミュニティ紙幣６の額面およびペーパＩＤを登録するフィールド１３４８、１３４９が設けられる。また、登録者コメントを登録するフィールド１３４７に代えて、サービス利用者のサービス提供者に対するコメントである利用者コメントを登録するフィールド１３５０が設けられる。
【０１４５】
また、相対位置管理ＤＢ１３６は、図２０に示すように、対応テーブル１３６１毎に、この対応テーブル１３６１で管理されるコミュニティ紙幣６の額面情報１３６５がペーパＩＤ１３６２と共に登録される。
【０１４６】
図２１は、本発明の第２実施形態で用いるコミュニティ管理センタ１の動作フローを説明するための図である。
【０１４７】
主制御部１２５は、通信部１１を介して電子ペン３からペンＩＤおよびデジタル軌跡情報を受信すると（Ｓ２００１）、文字認識処理部１２１にデジタル軌跡情報を渡す。これを受けて、文字認識処理部１２１は、デジタル軌跡情報が示す文字列を構成する各文字に対して文字認識処理を行なう（Ｓ２００２）。
【０１４８】
また、主制御部１２５は、相対位置変換処理部１２２にデジタル軌跡情報を渡す。これを受けて、相対位置変換処理部１２２は、デジタル軌跡情報が示す文字列を構成する各文字の絶対位置をコミュニティ紙幣６上での相対位置に変換する。また、デジタル軌跡情報が示す文字列が執筆されたコミュニティ紙幣６のペーパＩＤ、額面情報を取得する（Ｓ２００３）。
【０１４９】
具体的には、デジタル軌跡情報を筆跡の塊毎に分割する。そして、筆跡の塊各々の絶対位置がフィールド１３６４に登録されている対応テーブル１３６１を、相対位置管理ＤＢ１３６から抽出する。次に、この対応テーブル１３６１を用いて、筆跡の塊各々の絶対位置をコミュニティ紙幣６上の相対位置に変換する。また、この対応テーブル１３６１に割り当てられているペーパＩＤ１３６２および額面情報１３６５を抽出する。
【０１５０】
次に、主制御部１２５は、デジタル軌跡情報を送信した電子ペン３の所有者と、デジタル軌跡情報が示す文字列の執筆者とが一致するか否かを調べることにより、デジタル軌跡情報を検証する（Ｓ２００４）。
【０１５１】
具体的には、電子ペン３よりデジタル軌跡情報と共に受信したペンＩＤを持つレコードを参加者管理ＤＢ１３１から抽出する。同様に、Ｓ２００３で取得したペーパＩＤを持つレコードのうち、最新の日付を有するレコードを、サービス交換実績管理ＤＢ１３４から抽出する。そして、参加者管理ＤＢ１３１から抽出したレコードのフィールド１３１１に登録されているユーザＩＤと、サービス交換実績管理ＤＢ１３４から抽出したレコードのフィールド１３４５に登録されているユーザＩＤとが一致するか否かを調べる。一致する場合は、デジタル軌跡情報の検証成立と判断する。
【０１５２】
デジタル軌跡情報の検証が成立した場合（Ｓ２００５）、主制御部１２５は、文字認識処理部１２１が得た、デジタル軌跡情報が示す文字列を構成する各文字の認識結果と、相対位置変換処理部１２２が得た、デジタル軌跡情報が示す文字列を構成する各文字のコミュニティ紙幣６上での相対位置とに基づいて、コミュニティ紙幣６の各記入欄６２１〜６２６に対する記入内容を特定する。そして、これらの記入内容を含むレコードを、サービス交換実績管理ＤＢ１３４に追加登録するためのリクエストデータを生成し、これをアクセス制御部１２４に渡す。これを受けて、アクセス制御部１２４は、サービス交換実績管理ＤＢ１３４に、ユニークな実施ＩＤがフィールド１３４１に登録されたレコードを追加する。そして、このレコードのフィールド１３４２に、コミュニティ紙幣６の日付記入欄６２１の実施日を、フィールド１３４３に、コミュニティ紙幣６のサービスＩＤ記入欄６２４のサービスＩＤを、フィールド１３４４に、デジタル軌跡情報と共に受信したペンＩＤにより特定される電子ペン３の所有者のユーザＩＤを、フィールド１３４５に、コミュニティ紙幣６の提供者ＩＤ記入欄６２２のユーザＩＤを、フィールド１３４８に、Ｓ２００３で取得したコミュニティ紙幣６の額面を、フィールド１３４９に、Ｓ２００３で取得したコミュニティ紙幣６のペーパＩＤを、そして、フィールド１３５０に、コミュニティ紙幣６のコメント記入欄６２６のコメントを登録する（Ｓ２００６）。
【０１５３】
その後、主制御部１２５は、サービス交換実績の登録処理に成功した旨を、通信部１１を介してデジタル軌跡情報を送信した電子ペン３に返信する（Ｓ２００７）。これを受けて、電子ペン３は、例えば成功を示す色で表示部（不図示）を点灯するなどして、その旨をユーザに通知する。
【０１５４】
一方、デジタル軌跡情報の検証が成立しなかった場合（Ｓ２００５）、主制御部１２５は、サービス交換実績の登録処理に失敗した旨を、通信部１１を介してデジタル軌跡情報を送信した電子ペン３に返信する（Ｓ２００７）。これを受けて、電子ペン３は、例えば失敗を示す色で表示部（不図示）を点灯するなどして、その旨をユーザに通知する。
【０１５５】
なお、図２１に示す動作フローによれば、サービス利用者（コミュニティ紙幣６の持ち主）のみが登録者となって、サービス交換実績のレコードがサービス交換実績管理ＤＢ１３４に登録される。したがって、上記の第１実施形態で説明した図１４に示す検証処理は不要である。しかし、図２１に示す動作フローによれば、サービス交換実績のレコードがコミュニティ紙幣６単位でサービス交換実績管理ＤＢ１３４に登録されることになる。したがって、サービス交換実績のレコードを、サービス単位に纏める作業が必要である。
【０１５６】
図２２は、サービス交換実績管理ＤＢ１３４に登録されるサービス交換実績のレコードを、サービス単位で纏める処理を説明するためのフロー図である。
【０１５７】
主制御部１２５は、サービス交換実績管理ＤＢ１３４に登録されているレコードの一覧を図示していない表示部に表示するなどして、図示していない指示受付部を介して、処理すべきサービス交換実績のレコードの指定を操作者から受け付ける（Ｓ２２０１）。
【０１５８】
次に、主制御部１２５は、フィールド１３４２〜１３４５に登録されている実施日、サービスＩＤ、登録ユーザＩＤおよび交換ユーザＩＤが、指定されたレコードと一致するレコードを、サービス交換実績管理ＤＢ１３４から収集する（Ｓ２２０２）。
【０１５９】
それから、主制御部１２５は、収集したレコードのフィールド１３４８に登録されている額面を合計する（Ｓ２２０３）。これを指定されたレコードが対象とするサービス交換の対価とし、図示していない表示部などを用いて、操作者に通知する（Ｓ２２０４）。
【０１６０】
次に、上記構成のサービス交換管理システムの動作について説明する。
【０１６１】
図２３は、本発明の第２実施形態のサービス交換管理システムによるサービス交換実績の登録処理を説明するためのフロー図である。
【０１６２】
参加者であるサービス利用者は、自身の電子ペン３を用いて、サービス提供者に支払うコミュニティ紙幣６の実績記入欄６２０にサービス交換の実績を記入する。具体的には、日付記入欄６２１にサービス交換の日付を記入し、提供者ＩＤ記入欄６２２および提供者名記入欄６２３にサービス提供者のユーザＩＤおよびユーザ名を記入し、サービスＩＤ記入欄６２４およびサービス名記入欄６２５に利用したサービスのサービスＩＤ、サービス名を記入する。また、コメント記入欄６２６に、サービス提供者に対する苦情・コメントを必要に応じて記入する（Ｓ２３０１）。
【０１６３】
サービス利用者が電子ペン３を用いてコミュニティ紙幣６への書き込みを行なうと、電子ペン３において、筆圧センサ３０３がこれを検知し、カメラ３０１がペン先のブロックを光学的に読み取る。そして、プロセッサ３０４が、このブロックに割り当てられた絶対空間における絶対位置を特定し、特定した絶対位置をデジタル軌跡情報としてメモリ３０５に蓄積する（Ｓ２３０２）。
【０１６４】
次に、サービス利用者は、コミュニティ紙幣６の実績記入欄６２０にサービス交換の実績を記入したならば、これをコミュニティ管理センタ１へ送信するために送信ボックス６３０にチェックを入れる（Ｓ２３０３）。
【０１６５】
電子ペン３において、プロセッサ３０４は、ペン先のブロックに割り当てられた絶対位置から、送信ボックス２３０にチェックが入れられたことを検知すると（Ｓ２３０４）、それまでに蓄積したデジタル軌跡情報を、予めメモリ３０５に登録してあるペンＩＤと共に、トランシーバから出力する（Ｓ２３０５）。電子ペン３から出力されたペンＩＤおよびデジタル軌跡情報は、無線基地局５およびネットワーク４を介して、コミュニティ管理センタ１へ送信される。
【０１６６】
コミュニティ管理センタ１において、主制御部１２５は、通信部１１を介して、電子ペン３からペンＩＤおよびデジタル軌跡情報を受け取ると、文字認識処理部１２１に、デジタル軌跡情報が表す文字列を構成する各文字を認識させる（Ｓ２３０６）。また、相対位置変換処理部１２２に、デジタル軌跡情報が表す文字列を構成する各文字のコミュニティ紙幣６上での相対位置および当該文字列が執筆されたコミュニティ紙幣６のペーパＩＤおよび額面を求めさせる（Ｓ２３０７）。その後、主制御部１２５は、検証部１２３にデジタル軌跡情報の検証を行なわせる（Ｓ２３０８）。それから、アクセス制御部１２４に、文字認識処理部１２１および相対位置変換処理部１２２での結果から特定されるサービス交換実績の情報を、サービス交換実績管理ＤＢ１３４に登録させる（Ｓ３２３０９）。
【０１６７】
以上により、サービス利用者が登録者となって、サービス交換実績のレコードがサービス交換実績管理ＤＢ１３４に登録される。
【０１６８】
以上、本発明の第２実施形態について説明した。
【０１６９】
本実施形態でも、上記の第１実施形態と同様、コミュニティ活動の各参加者は、コミュニティ通貨の移動の実績を用紙に記入するという、慣れ親しんだ手続のやり方でサービス交換の実績をコミュニティ管理センタ１へ登録することができる。また、電子ペン３およびコミュニティ紙幣６という携帯性に優れた手段を利用することにより、例えばサービス交換直後に、サービス交換の当事者間でコミュニティ紙幣６への記入内容を互いにチェックすることが可能となる。このため、不正や間違いが発生する確立を低減することができる。
【０１７０】
また、本実施形態では、コミュニティ紙幣６の受取者（サービス提供者）ではなく、このコミュニティ紙幣６を支払う参加者（サービス利用者）に、当該サービス利用者所有の電子ペン３を用いて、サービス交換の実績の当該コミュニティ紙幣６への記入を行なわせている。そして、コミュニティ管理センタ１において、電子ペン３から送られてきたデジタル軌跡情報が示す文字列の執筆者が電子ペン３の所有者であるか否かを検証している。これにより、サービス交換を行なう当事者の双方に、コミュニティ紙幣６への書込み内容に対する注意を促すことができ、したがって、不正や間違いが発生する確立を低減することができる。
【０１７１】
次に、本発明の第３実施形態について説明する。
【０１７２】
上記の第１実施形態では、コミュニティ通帳２を利用してサービス交換の実績を管理している。これに対し、本実施形態では、サービス交換の対価として支払うコミュニティ小切手７を、コミュニティ通帳２の代わりに利用することで、サービス交換の実績を管理するようにしている。これに伴い、コミュニティ管理センタ１の構成・動作が上記の第１実施形態のものと若干異なる。なお、電子ペン３については、上記の第１実施形態のものと同様である。
【０１７３】
先ず、本発明の第３実施形態で用いるコミュニティ小切手７を説明する。
【０１７４】
図２４は、コミュニティ小切手７の一例を示す図である。
【０１７５】
コミュニティ小切手７は、サービス利用者がサービス提供者に対しサービス利用の対価として、サービス交換の実績を記入して支払うものである。但し、上記の第２実施形態で用いたコミュニティ紙幣６と異なり、使用は１回限りである。
【０１７６】
コミュニティ小切手７も、コミュニティ通帳２やコミュニティ紙幣６と同様に、紙幣毎に固有のドットパターンが印刷されている。また、紙幣毎に固有のペーパＩＤが付与されている。さらに、電子ペン３のメモリ３０５に蓄積したデジタル軌跡情報をコミュニティ管理センタ１に送信するための送信チェックボックス７３０の印刷部分について、全てのコミュニティ小切手７において同じブロックが印刷されている。つまり、送信チェックボックス７３０については、全てのコミュニティ小切手７に対して同じ絶対位置が割り当てられている。
【０１７７】
コミュニティ小切手７の紙面上には、サービス交換の実績を記入するための実績記入欄７２０が印刷されている。実績記入欄７２０は、日付を記入するための日付記入欄７２１、このコミュニティ小切手７の支払者（サービス利用者）のユーザＩＤを記入するための支払者ＩＤ記入欄７２２、支払者の氏名を記入するための支払者名記入欄７２３、このコミュニティ小切手７の受取者（サービス提供者）のユーザＩＤを記入するための受取者ＩＤ記入欄７２４、受取者の氏名を記入するための受取者名記入欄７２５、サービス交換したサービスのサービスＩＤを記入するためのサービスＩＤ記入欄７２６、サービス交換したサービスのサービス名称を記入するためのサービス名称記入欄７２７、サービス交換の対価として支払うコミュニティ通貨の額面を記入するための支払額記入欄７２８、そして、このコミュニティ小切手７の支払者（サービス利用者）のコミュニティ小切手７の受取者（サービス提供者）に対する苦情・コメントを記入するためのコメント記入欄７２９と、を有する。
【０１７８】
次に、本発明の第３実施形態で用いるコミュニティ管理センタ１について説明する。
【０１７９】
上述したように、本実施形態では、コミュニティ小切手７にサービス交換の実績を記入することでサービス交換の実績を管理している。このコミュニティ小切手７を使って支払うことのできるコミュニティ通貨の額面は、当然のことながら、参加者の所持額の範囲内である。そこで、本実施形態では、参加者管理ＤＢ１３１で、各参加者の所持額を管理するようにしている。
【０１８０】
図２５に示すように、本実施形態の参加者管理ＤＢ１３１では、図６に示す第１実施形態で用いる参加者管理ＤＢ１３１と異なり、ペーパＩＤを登録するためのフィールド１３１５に代えて、所持額を登録するためのフィールド１３１６が設けられている。
【０１８１】
また、本実施形態では、コミュニティ小切手７に情報が書き込まれる場合として、サービス交換の対価としてコミュニティ小切手７が支払われる場合のみを想定している。このため、本実施形態では、サービス提供申込み管理ＤＢ１３２、サービス利用申込み管理ＤＢ１３３を用意していない。
【０１８２】
また、サービス交換実績管理ＤＢ１３４は、図２６に示すように、図９に示す第１実施形態のサービス交換実績管理ＤＢ１３４と異なり、登録者コメントを登録するフィールド１３４７に代えて、サービス利用者のサービス提供者に対するコメントである利用者コメントを登録するフィールド１３５０が設けられる。
【０１８３】
図２７は、本発明の第３実施形態で用いるコミュニティ管理センタ１の動作フローを説明するための図である。
【０１８４】
主制御部１２５は、通信部１１を介して電子ペン３からペンＩＤおよびデジタル軌跡情報を受信すると（Ｓ２７０１）、文字認識処理部１２１にデジタル軌跡情報を渡す。これを受けて、文字認識処理部１２１は、デジタル軌跡情報が示す文字列を構成する各文字に対して文字認識処理を行なう（Ｓ２７０２）。
【０１８５】
また、主制御部１２５は、相対位置変換処理部１２２にデジタル軌跡情報を渡す。これを受けて、相対位置変換処理部１２２は、デジタル軌跡情報が示す文字列を構成する各文字の絶対位置をコミュニティ小切手７上での相対位置に変換する。また、デジタル軌跡情報が示す文字列が執筆されたコミュニティ小切手７のペーパＩＤを取得する（Ｓ２７０３）。
【０１８６】
具体的には、デジタル軌跡情報を筆跡の塊毎に分割する。そして、筆跡の塊各々の絶対位置がフィールド１３６４に登録されている対応テーブル１３６１を、相対位置管理ＤＢ１３６から抽出する。次に、この対応テーブル１３６１を用いて、筆跡の塊各々の絶対位置をコミュニティ小切手７上の相対位置に変換する。また、この対応テーブル１３６１に割り当てられているペーパＩＤ１３６２を抽出する。
【０１８７】
次に、主制御部１２５は、デジタル軌跡情報を送信した電子ペン３の所有者と、デジタル軌跡情報が示す文字列の執筆者とが一致するか否かを調べることにより、デジタル軌跡情報を検証する（Ｓ２７０４）。
【０１８８】
具体的には、電子ペン３よりデジタル軌跡情報と共に受信したペンＩＤを持つレコードを参加者管理ＤＢ１３１から抽出する。そして、抽出したレコードのフィールド１３１１に登録されているユーザＩＤを特定する。また、文字認識処理部１２１が得た、デジタル軌跡情報が示す文字列を構成する各文字の認識結果と、相対位置変換処理部１２２が得た、デジタル軌跡情報が示す文字列を構成する各文字のコミュニティ小切手７上での相対位置とに基づいて、コミュニティ小切手７の支払者ＩＤ記入欄７２２に記入されたユーザＩＤを特定する。そして、特定した両ユーザＩＤが一致するか否かを調べる。一致する場合は、デジタル軌跡情報の検証成立と判断する。
【０１８９】
デジタル軌跡情報の検証が成立した場合（Ｓ２７０５）、主制御部１２５は、文字認識処理部１２１が得た、デジタル軌跡情報が示す文字列を構成する各文字の認識結果と、相対位置変換処理部１２２が得た、デジタル軌跡情報が示す文字列を構成する各文字のコミュニティ小切手７上での相対位置とに基づいて、コミュニティ小切手７の支払額記入欄７２８に記入された額面を特定する。また、参加者管理ＤＢ１３１から抽出した、デジタル軌跡情報と共に受信したペンＩＤを持つレコードのフィールド１３１６に登録されている額面を特定する。そして、特定した両額面により、電子ペン３の所有者がコミュニティ小切手７に記述された額面を支払い可能か否かをチェックする（Ｓ２７０６）。
【０１９０】
支払い可能である場合（Ｓ２７０７）、主制御部１２５は、参加者管理ＤＢ１３１から抽出した、デジタル軌跡情報と共に受信したペンＩＤを持つレコードのフィールド１３１６に登録されている額面を、この額面からコミュニティ小切手７に記述された額面を差し引いた値に更新する（Ｓ２７０８）。
【０１９１】
それから、文字認識処理部１２１が得た、デジタル軌跡情報が示す文字列を構成する各文字の認識結果と、相対位置変換処理部１２２が得た、デジタル軌跡情報が示す文字列を構成する各文字のコミュニティ紙幣６上での相対位置とに基づいて、コミュニティ小切手７の各記入欄７２１〜７２９に対する記入内容を特定する。そして、これらの記入内容を含むレコードを、サービス交換実績管理ＤＢ１３４に追加登録するためのリクエストデータを生成し、これをアクセス制御部１２４に渡す。これを受けて、アクセス制御部１２４は、サービス交換実績管理ＤＢ１３４に、ユニークな実施ＩＤがフィールド１３４１に登録されたレコードを追加する。そして、このレコードのフィールド１３４２に、コミュニティ小切手７の日付記入欄７２１の実施日を、フィールド１３４３に、コミュニティ小切手７のサービスＩＤ記入欄７２６のサービスＩＤを、フィールド１３４４に、デジタル軌跡情報と共に受信したペンＩＤにより特定される電子ペン３の所有者のユーザＩＤを、フィールド１３４５に、コミュニティ小切手７の受取者ＩＤ記入欄７２４のユーザＩＤを、フィールド１３４６に、コミュニティ小切手７の支払額記入欄７２８の額面を、そして、フィールド１３５０に、コミュニティ紙幣６のコメント記入欄６２６のコメントを登録する（Ｓ２７０９）。
【０１９２】
その後、主制御部１２５は、サービス交換実績の登録処理に成功した旨を、通信部１１を介してデジタル軌跡情報を送信した電子ペン３に返信する（Ｓ２７１０）。これを受けて、電子ペン３は、例えば成功を示す色で表示部（不図示）を点灯するなどして、その旨をユーザに通知する。
【０１９３】
一方、デジタル軌跡情報の検証が成立しなかった場合（Ｓ２７０５）や支払者の所持額がコミュニティ小切手７に記述された額面より少ない場合（Ｓ２７０７）、主制御部１２５は、サービス交換実績の登録処理に失敗した旨を、通信部１１を介してデジタル軌跡情報を送信した電子ペン３に返信する（Ｓ２７１０）。これを受けて、電子ペン３は、例えば失敗を示す色で表示部（不図示）を点灯するなどして、その旨をユーザに通知する。
【０１９４】
なお、図２７に示す動作フローによれば、サービス利用者（コミュニティ小切手７の支払者）のみが登録者となって、サービス交換実績のレコードがサービス交換実績管理ＤＢ１３４に登録される。したがって、上記の第１実施形態で説明した図１４に示す検証処理は不要である。
【０１９５】
次に、上記構成のサービス交換管理システムの動作について説明する。
【０１９６】
図２８は、本発明の第３実施形態のサービス交換管理システムによるサービス交換実績の登録処理を説明するためのフロー図である。
【０１９７】
参加者であるサービス利用者は、自身の電子ペン３を用いて、サービス提供者に支払うコミュニティ小切手７の実績記入欄７２０にサービス交換の実績を記入する。具体的には、日付記入欄７２１にサービス交換の日付を記入し、支払者ＩＤ記入欄７２２および支払者名記入欄７２３に自身のユーザＩＤおよびユーザ名を記入し、受取者ＩＤ記入欄７２４および受取者名記入欄７２５にサービス提供者のユーザＩＤおよびユーザ名を記入し、サービスＩＤ記入欄７２６およびサービス名記入欄７２７に利用したサービスのサービスＩＤおよびサービス名を記入し、そして、支払額記入欄７２８に、サービス提供者に支払うコミュニティ通貨の額面を記入する。また、コメント記入欄７２９に、サービス提供者に対する苦情・コメントを必要に応じて記入する（Ｓ２８０１）。
【０１９８】
サービス利用者が電子ペン３を用いてコミュニティ小切手７への書き込みを行なうと、電子ペン３において、筆圧センサ３０３がこれを検知し、カメラ３０１がペン先のブロックを光学的に読み取る。そして、プロセッサ３０４がこのブロックに割り当てられた絶対空間における絶対位置を特定し、特定した絶対位置をデジタル軌跡情報としてメモリ３０５に蓄積する（Ｓ２８０２）。
【０１９９】
次に、サービス利用者は、コミュニティ小切手７の実績記入欄７２０にサービス交換の実績を記入したならば、これをコミュニティ管理センタ１へ送信するために送信ボックス７３０にチェックを入れる（Ｓ２８０３）。
【０２００】
電子ペン３において、プロセッサ３０４は、ペン先のブロックに割り当てられた絶対位置から、送信ボックス７３０にチェックが入れられたことを検知すると（Ｓ２８０４）、それまでに蓄積したデジタル軌跡情報を、予めメモリ３０５に登録してあるペンＩＤと共に、トランシーバから出力する（Ｓ２８０５）。電子ペン３から出力されたペンＩＤおよびデジタル軌跡情報は、無線基地局５およびネットワーク４を介して、コミュニティ管理センタ１へ送信される。
【０２０１】
コミュニティ管理センタ１において、主制御部１２５は、通信部１１を介して、電子ペン３からペンＩＤおよびデジタル軌跡情報を受け取ると、文字認識処理部１２１に、デジタル軌跡情報が表す文字列を構成する各文字を認識させる（Ｓ２８０６）。また、相対位置変換処理部１２２に、デジタル軌跡情報が表す文字列を構成する各文字のコミュニティ小切手７上での相対位置および当該文字列が執筆されたコミュニティ小切手７のペーパＩＤを求めさせる（Ｓ２８０７）。その後、主制御部１２５は、検証部１２３にデジタル軌跡情報の検証を行なわせる。また、コミュニティ利用者の所持額がコミュニティ小切手７に記述された額面以上であるかをチェックする（Ｓ２８０８）。それから、アクセス制御部１２４に、文字認識処理部１２１および相対位置変換処理部１２２での結果から特定されるサービス交換実績の情報を、サービス交換実績管理ＤＢ１３４に登録させる。また、参加者管理ＤＢ１３１に登録されているサービス利用者の所持額を更新する（Ｓ２８０９）。
【０２０２】
以上により、サービス利用者が登録者となって、サービス交換実績のレコードがサービス交換実績管理ＤＢ１３４に登録される。
【０２０３】
以上、本発明の第３実施形態について説明した。
【０２０４】
本実施形態でも、上記の第１実施形態や第２実施形態と同様、コミュニティ活動の各参加者は、コミュニティ通貨の移動の実績を用紙に記入するという、慣れ親しんだ手続のやり方でサービス交換の実績をコミュニティ管理センタ１へ登録することができる。また、電子ペン３およびコミュニティ小切手７という携帯性に優れた手段を利用することにより、例えばサービス交換直後に、サービス交換の当事者間でコミュニティ小切手７への記入内容を互いにチェックすることが可能となる。このため、不正や間違いが発生する確立を低減することができる。
【０２０５】
また、本実施形態では、コミュニティ小切手７の受取者（サービス提供者）ではなく、このコミュニティ小切手７を支払う参加者（サービス利用者）に、当該サービス利用者所有の電子ペン３を用いて、サービス交換の実績の当該コミュニティ小切手７への記入を行なわせている。そして、コミュニティ管理センタ１において、電子ペン３から送られてきたデジタル軌跡情報が示す文字列の執筆者が電子ペン３の所有者であるか否かを検証している。これにより、サービス交換を行なう当事者の双方に、コミュニティ小切手７への書込み内容に対する注意を促すことができ、したがって、不正や間違いが発生する確立を低減することができる。
【０２０６】
なお、本発明は上記の各実施形態に限定されるものではなく、その要旨の範囲内で数々の変形が可能である。
【０２０７】
例えば、上記の各実施形態では、デジタル軌跡情報が表す文字列の文字認識処理と、デジタル軌跡情報が表す文字列のコミュニティ通帳２やコミュニティ紙幣６やコミュニティ小切手７上での相対位置算出処理とを、コミュニティ管理センタ１で行なう場合を例にとり説明した。しかし、本発明はこれに限定されない。
【０２０８】
文字認識処理部１２１および認識辞書ＤＢ１３５を、コミュニティ管理センタ１に設ける代わりに、電子ペン３あるいは無線中継局５に設けることで、デジタル軌跡情報が表す文字列の文字認識処理を電子ペン３あるいは無線中継局５に行なわせるようにしてもよい。同様に、相対位置変換処理部１２２および相対位置管理ＤＢ１３６を、コミュニティ管理センタ１に設ける代わりに、電子ペン３あるいは無線中継局５に設けることで、デジタル軌跡情報が表す文字列のコミュニティ通帳２やコミュニティ紙幣６やコミュニティ小切手７上での相対位置算出処理を、電子ペン３あるいは無線中継局５に行なわせるようにしてもよい。
【０２０９】
また、上記の各実施形態では、参加者が電子ペン３を用いてコミュニティ通帳２やコミュニティ紙幣６やコミュニティ小切手７の実績記入欄にサービス交換の実施日を記入し、この記入された実施日が、サービス交換管理１３４にサービス交換の実施日として登録される。しかし、本発明はこれに限定されない。
【０２１０】
サービス交換が行なわれた際に、サービス交換の実績をコミュニティ通帳２やコミュニティ紙幣６やコミュニティ小切手７の実績記入欄に記入するようルールを決めている場合は、実績記入欄に記入されたサービス交換の実施日をサービス交換管理１３４に登録するのに代えて、コミュニティ管理センタ１でのデジタル軌跡情報の受信日を、このデジタル軌跡情報に関連するサービス交換の実施日として、サービス交換管理１３４に登録するようにしてもよい。
【０２１１】
また、上記の各実施形態では、コミュニティ通帳２やコミュニティ紙幣６やコミュニティ小切手７の実績記入欄にサービス名称や参加者のユーザ名を記入するようにしているが、これは、参加者がサービス交換の実績を把握し易くするためであり、コミュニティ管理センタ１にサービス交換の実績を登録するのみの目的では、サービスＩＤやユーザＩＤを実績記入欄に記入できれば十分である。
【０２１２】
また、上記の各実施形態では、コミュニティ通帳２やコミュニティ紙幣６やコミュニティ小切手７に、サービスＩＤやサービス名称を記入する記入欄を設けているが、サービス交換したサービスを選択するための特別なメニュー用紙を各参加者に配布しておき、このメニュー用紙と電子ペン３とを用いて、参加者にサービス交換したサービスを選択させるようにしてもよい。
【０２１３】
図２９は、メニュー用紙８の一例を示す図である。
【０２１４】
このメニュー用紙８は見開きタイプとなっており、一方の面（メニュー面）にメニューリストが印刷されている。他方の面には、コミュニティ通帳２やコミュニティ紙幣６やコミュニティ小切手７を収容するための収容部８０１が設けられている。そして、見開きの中央に、電子ペン３を引っ掛けておくことができるように構成されている。
【０２１５】
なお、メニュー面には、コミュニティ通帳２やコミュニティ紙幣６やコミュニティ小切手７には割り当てられていない絶対空間中のブロックが印刷されている。なお、メニュー面に印刷するブロックは、メニュー用紙８毎に異ならせてもよいし、あるいは、全てのメニュー用紙８に対して共通にしてもよい。メニュー面の印刷されたメニューリスト中のどのサービスにチェックが入れられたか否かの特定は、コミュニティ通帳２やコミュニティ紙幣６やコミュニティ小切手７の場合と同じ要領で行なうことができる。
【０２１６】
なお、上記の各実施形態において、選択方式はチェック方式に限らない。例えば、絵（マーク）を丸で囲むことにより、その絵が示す項目を選択させるようにしてもよい。
【０２１７】
【発明の効果】
以上説明したように、本発明によれば、参加者にとって使い勝手がよく、且つ、不正や間違いが発生し難いサービス交換管理を実現できる。
【図面の簡単な説明】
【図１】本発明の第１実施形態が適用されたサービス交換管理システムの概略構成を示す図である。
【図２】本発明の第１実施形態で用いるコミュニティ通帳２および電子ペン３の仕組みを説明するための図である。
【図３】本発明の第１実施形態で用いるコミュニティ通帳２の一例を示す図である。
【図４】本発明の第１実施形態で用いる電子ペン３の動作フローを説明するための図である。
【図５】本発明の第１実施形態で用いるコミュニティ管理センタ１の概略構成を示す図である。
【図６】本発明の第１実施形態で用いる参加者管理ＤＢ１３１の登録内容例を示す図である。
【図７】本発明の第１実施形態で用いるサービス提供申込みＤＢ１３２の登録内容例を示す図である。
【図８】本発明の第１実施形態で用いるサービス利用申込みＤＢ１３３の登録内容例を示す図である。
【図９】本発明の第１実施形態で用いるサービス交換実績管理ＤＢ１３４の登録内容例を示す図である。
【図１０】本発明の第１実施形態で用いる相対位置ＤＢ１３６の登録内容例を示す図である。
【図１１】本発明の第１実施形態で用いるコミュニティ管理センタ１のハードウエア構成例を示す図である。
【図１２】本発明の第１実施形態で用いるコミュニティ管理センタ１の動作フローを説明するための図である。
【図１３】コミュニティ管理センタ１において、主制御部１２５がアクセス制御部１２４に渡すリクエストデータのフォーマット例を示す図である。
【図１４】本発明の第１実施形態で用いるコミュニティ管理センタ１の、サービス交換実績管理ＤＢ１３４に登録されるサービス交換実績のレコードの検証処理を説明するするためのフロー図である。
【図１５】本発明の第１実施形態のサービス提供申込み登録処理を説明するためのフロー図である。
【図１６】本発明の第１実施形態のサービス利用申込み登録処理を説明するためのフロー図である。
【図１７】本発明の第１実施形態のサービス交換実績の登録処理を説明するためのフロー図である。
【図１８】本発明の第２実施形態で用いるコミュニティ紙幣６の一例を示す図である。
【図１９】本発明の第２実施形態で用いるサービス交換実績管理ＤＢ１３４の登録内容例を示す図である。
【図２０】本発明の第２実施形態で用いる相対位置ＤＢ１３６の登録内容例を示す図である。
【図２１】本発明の第２実施形態で用いるコミュニティ管理センタ１の動作フローを説明するための図である。
【図２２】本発明の第２実施形態で用いるコミュニティ管理センタ１の、サービス交換実績管理ＤＢ１３４に登録されるサービス交換実績のレコードを、サービス単位で纏める処理を説明するためのフロー図である。
【図２３】本発明の第２実施形態のサービス交換管理システムによるサービス交換実績の登録処理を説明するためのフロー図である。
【図２４】本発明の第３実施形態で用いるコミュニティ小切手７の一例を示す図である。
【図２５】本発明の第３実施形態で用いる参加者管理ＤＢ１３１の登録内容例を示す図である。
【図２６】本発明の第３実施形態で用いるサービス交換実績管理ＤＢ１３４の登録内容例を示す図である。
【図２７】本発明の第３実施形態で用いるコミュニティ管理センタ１の動作フローを説明するための図である。
【図２８】本発明の第３実施形態のサービス交換管理システムによるサービス交換実績の登録処理を説明するためのフロー図である。
【図２９】メニュー用紙８の一例を示す図である。
【符号の説明】
１…コミュニティ管理センタ、２…コミュニティ通帳、３…電子ペン、４…ネットワーク、５…無線中継局、６…コミュニティ紙幣、７…コミュニティ小切手、８…メニュー用紙、１１…通信部、１２…処理部、１３…記憶部、７１…ＣＰＵ、７２…メモリ、７３…外部記憶装置、７４…通信装置、７５…入力装置、７６…出力装置、７７…読取装置、７８…インターフェース、７９…記憶媒体、１２１…文字認識処理部、１２２…相対位置変換処理部、１２３…検証部、１２４…アクセス制御部、１２５…主制御部、１３１…参加者管理ＤＢ、１３２…サービス提供申込み管理ＤＢ、１３３…サービス利用申込み管理ＤＢ、１３４…サービス交換実績管理ＤＢ、１３５…認識辞書ＤＢ、１３６…相対位置管理ＤＢ、３０１…カメラ、３０２…インクカートリッジ、３０３…筆圧センサ、３０４…プロセッサ、３０５…メモリ、３０６…バッテリ、３０７…トランシーバ
【図１】
2004078680.tif 000003
【図２】
2004078680.tif 000004
【図３】
2004078680.tif 000005
【図４】
2004078680.tif 000006
【図５】
2004078680.tif 000007
【図６】
2004078680.tif 000008
【図７】
2004078680.tif 000009
【図８】
2004078680.tif 000010
【図９】
2004078680.tif 000011
【図１０】
2004078680.tif 000012
【図１１】
2004078680.tif 000013
【図１２】
2004078680.tif 000014
【図１３】
2004078680.tif 000015
【図１４】
2004078680.tif 000016
【図１５】
2004078680.tif 000017
【図１６】
2004078680.tif 000018
【図１７】
2004078680.tif 000019
【図１８】
2004078680.tif 000020
【図１９】
2004078680.tif 000021
【図２０】
2004078680.tif 000022
【図２１】
2004078680.tif 000023
【図２２】
2004078680.tif 000024
【図２３】
2004078680.tif 000025
【図２４】
2004078680.tif 000026
【図２５】
2004078680.tif 000027
【図２６】
2004078680.tif 000028
【図２７】
2004078680.tif 000029
【図２８】
2004078680.tif 000030
【図２９】
2004078680.tif 000031